(57)【要約】シングルビットまたは複数ビットスケジューリング要求（ＳＲ）を提供するワイヤレス通信のための方法、システム、およびデバイスが説明される。ＳＲは、基地局にユーザ機器（ＵＥ）によって送信され得、およびＵＥが基地局に送信されるべきデータを有していることを示し得る。ＳＲは、基地局に送信されるべきデータに関連付けられた優先度レベルのインジケーションを含み得、それは、基地局に送信されるべきデータに関連付け慣れた、データタイプ、論理チャネル、またはヌメロロジに基づき得る。【選択図】図４
2020519118.tif 000002
【特許請求の範囲】
【請求項１】
ワイヤレス通信のための方法であって、
ユーザ機器（ＵＥ）が基地局に送信されるべきデータをバッファ中に有していることを前記ＵＥにおいて識別することと、
前記データのための論理チャネル、または前記データに関連付けられたデータタイプ、あるいはそれらの組み合わせに少なくとも部分的に基づいて、前記基地局に送信されるべき前記バッファ中の前記データについての優先度レベルを決定することと、
前記データについての前記優先度レベルを示すスケジューリング要求（ＳＲ）を前記基地局に送信することと
を備える、方法。
【請求項２】
前記ＳＲは、前記ＳＲのビットフィールドを使用する前記決定された優先度レベルのインジケーションを含む、
請求項１に記載の方法。
【請求項３】
前記ＳＲの前記ビットフィールドは、前記決定された優先度レベルを示すための複数のビットを備える、
請求項２に記載の方法。
【請求項４】
前記ＳＲを送信するために使用されるべき無線リソースの複数のセットのうちの無線リソースの第１のセットを、前記決定された優先度レベルに少なくとも部分的に基づいて選択すること、ここにおいて、前記ＳＲを送信することは、無線リソースの前記識別された第１のセットを使用して前記ＳＲを送信することを備える、
をさらに備える、請求項１に記載の方法。
【請求項５】
アップリンクメッセージ中での前記データの送信のためのアップリンク許可を前記基地局から受信することと、
前記アップリンク許可に少なくとも部分的に基づいて、前記アップリンクメッセージのためのアップリンクリソースを識別することと、
前記データを備える前記アップリンクメッセージを、前記識別されたアップリンクリソースを使用して送信することと
をさらに備える、請求項１に記載の方法。
【請求項６】
前記アップリンク許可は、前記データの送信のための前記論理チャネルに対応するリソースを示す、
請求項５に記載の方法。
【請求項７】
前記ＳＲは、前記識別されたアップリンクリソースとは異なるリソースのセット上で送信される、
請求項５に記載の方法。
【請求項８】
前記決定された優先度レベルに少なくとも部分的に基づいて、前記ＳＲの送信のためのＳＲ構成を選択すること
をさらに備える、請求項１に記載の方法。
【請求項９】
前記決定された優先度レベルがしきい値を上回ることを識別すること、ここにおいて、前記ＳＲは、前記決定された優先度レベルが前記しきい値を上回るという前記識別に少なくとも部分的に基づいて送信される、
をさらに備える、請求項１に記載の方法。
【請求項１０】
前記データのための前記論理チャネルと前記決定された優先度レベルとのうちの１つまたは両方は、ヌメロロジに対応する、
請求項１に記載の方法。
【請求項１１】
前記ＵＥが前記基地局に送信されるべき追加のデータを有するという識別に少なくとも部分的に基づいて、第２のＳＲを前記基地局に送信すること、ここにおいて、前記ＳＲは、前記第２のＳＲに対応する第２の時間期間より短い第１の時間期間に対応する、
をさらに備える、請求項１に記載の方法。
【請求項１２】
前記ＵＥが前記基地局に送信されるべき追加のデータを有していることを前記ＵＥによって識別することと、
前記追加のデータのための論理チャネル、または前記追加のデータに関連付けられたデータタイプ、あるいはそれらの組み合わせに少なくとも部分的に基づいて、前記追加のデータについての第２の優先度レベルを決定することと、ここにおいて、前記ＳＲを送信することは、前記優先度レベルが前記第２の優先度レベルより大きいことに少なくとも部分的に基づく、
をさらに備える、請求項１に記載の方法。
【請求項１３】
前記ＳＲは、前記基地局に送信されるべき前記データについてのバッファ状態のインジケーションを含む、
請求項１に記載の方法。
【請求項１４】
前記ＳＲについての値と複数の論理チャネルについての優先度レベルとの間の対応を示すマッピングを前記基地局から受信すること
をさらに備える、請求項１に記載の方法。
【請求項１５】
前記基地局に送信されるべき前記データについてのターゲットヌメロロジを識別すること、ここにおいて、前記ＳＲは、前記ターゲットヌメロロジを示す、
をさらに備える、請求項１に記載の方法。
【請求項１６】
前記ターゲットヌメロロジに少なくとも部分的に基づいて、前記ＳＲの送信のためのＳＲ構成を選択すること
をさらに備える、請求項１５に記載の方法。
【請求項１７】
前記ＳＲは、リソースの専用セットを通して送信される、
請求項１に記載の方法。
【請求項１８】
ワイヤレス通信のための方法であって、
ユーザ機器（ＵＥ）が基地局に送信するためのデータをバッファ中に有していることと、前記データについての優先度レベルとを示すスケジューリング要求（ＳＲ）を前記基地局によって受信することと、
前記ＳＲに少なくとも部分的に基づいて、前記データの前記優先度レベルを決定することと、
前記優先度レベルに少なくとも部分的に基づいて、前記データの送信のためのリソースを識別することと、
前記識別されたリソースを示すアップリンク許可を前記ＵＥに送信することと
を備える、方法。
【請求項１９】
前記ＳＲは、前記ＳＲのビットフィールドを使用する前記決定された優先度レベルのインジケーションを含む、
請求項１８に記載の方法。
【請求項２０】
前記ＳＲの前記ビットフィールドは、前記決定された優先度レベルを示すための複数のビットを備える、
請求項１９に記載の方法。
【請求項２１】
前記ＳＲを受信するために使用される無線リソースの複数のセットのうちの無線リソースの第１のセットを識別すること、ここにおいて、前記優先度レベルを決定することは、無線リソースの前記識別された第１のセットに少なくとも部分的に基づく、
をさらに備える、請求項１８に記載の方法。
【請求項２２】
前記アップリンク許可に少なくとも部分的に基づいて、前記データを備えるアップリンクメッセージを、前記ＵＥから、および前記データの送信のための前記識別されたリソースを通して受信すること
をさらに備える、請求項１８に記載の方法。
【請求項２３】
前記ＳＲは、前記アップリンクメッセージとは異なる無線リソースのセット上で受信される、
請求項２２に記載の方法。
【請求項２４】
前記アップリンク許可は、前記データの送信のために使用されるべき論理チャネルに対応するリソースを示す、
請求項１８に記載の方法。
【請求項２５】
前記優先度レベルは、前記ＳＲによって示されるヌメロロジに少なくとも部分的に基づいて決定される、
請求項１８に記載の方法。
【請求項２６】
前記ＳＲは、前記ヌメロロジにしたがって受信され、
前記識別されたリソースは、前記ヌメロロジに少なくとも部分的に基づいて識別される、
請求項２５に記載の方法。
【請求項２７】
前記ＳＲについての値と複数の論理チャネルについての優先度レベルとの間の対応を示すマッピングを前記ＵＥに送信すること
をさらに備える、請求項１８に記載の方法。
【請求項２８】
前記ＳＲは、前記基地局に送信されるべき前記データについてのバッファ状態のインジケーションをさらに含む、
請求項１８に記載の方法。
【請求項２９】
ワイヤレス通信のための装置であって、
ユーザ機器（ＵＥ）が基地局に送信されるべきデータをバッファ中に有していることを前記ＵＥにおいて識別するための手段と、
前記データのための論理チャネル、または前記データに関連付けられたデータタイプ、あるいはそれらの組み合わせに少なくとも部分的に基づいて、前記基地局に送信されるべき前記バッファ中の前記データについての優先度レベルを決定するための手段と、
前記データについての前記優先度レベルを示すスケジューリング要求（ＳＲ）を前記基地局に送信するための手段と
を備える、装置。
【請求項３０】
ワイヤレス通信のための装置であって、
ユーザ機器（ＵＥ）が基地局に送信するためのデータをバッファ中に有していることと、前記データについての優先度レベルとを示すスケジューリング要求（ＳＲ）を前記基地局によって受信するための手段と、
前記ＳＲに少なくとも部分的に基づいて、前記データの前記優先度レベルを決定するための手段と、
前記優先度レベルに少なくとも部分的に基づいて、前記データの送信のためのリソースを識別するための手段と、
前記識別されたリソースを示すアップリンク許可を前記ＵＥに送信するための手段と
を備える、装置。
【発明の詳細な説明】
【関連出願の相互参照】
【０００１】
[0001]本特許出願は、２０１７年５月５日に出願された「Scheduling Request for Wireless Systems」と題されたHe他による米国仮特許出願第６２／５０２，４７８号、および２０１８年２月１２日に出願された「Scheduling Request for Wireless Systems」と題されたHe他による米国特許出願第１５／８９４，７３４号の優先権を主張し、それらの各々は、本願の譲受人に譲渡される。
【背景技術】
【０００２】
[0002]以下は概して、ワイヤレス通信に関し、より具体的には、ワイヤレスシステムのためのスケジューリング要求に関する。
【０００３】
[0003]ワイヤレス通信システムは、音声、ビデオ、パケットデータ、メッセージング、ブロードキャスト、等のような様々なタイプの通信コンテンツを提供するために幅広く展開されている。これらのシステムは、利用可能なシステムリソース（例えば、時間、周波数、および電力）を共有することによって複数のユーザとの通信をサポートすることが可能であり得る。そのような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム、または新無線（ＮＲ：New Radio）システム）を含む。ワイヤレス多元接続通信システムは、いくつかの基地局またはアクセスネットワークノードを含み得、各々が、別名ユーザ機器（ＵＥ）として知られ得る複数の通信デバイスのための通信を同時にサポートする。
【０００４】
[0004]いくつかのワイヤレス通信システムでは、ＵＥが、それが基地局に送信されるべきデータをバッファ中に有していると決定するとき、ＵＥは、スケジューリング要求（ＳＲ）を送信し得る。ＳＲは、制御チャネル（例えば、物理アップリンク制御チャネル（ＰＵＣＣＨ））上で送信され得、およびＵＥに保留中の（pending）アップリンクデータが存在するか否かを示す（例えば、１ビットの情報から成る）バイナリシグナリングスキームのものであり得る。ＳＲが基地局によって受信されると、基地局は、ＳＲに基づいて、ＵＥが保留中のデータを有していると決定し得る。しかしながら、基地局は、データの量、データのタイプ、またはデータに関連する優先度情報を決定することができないことがあり得る。そのため、基地局は、ＳＲに基づいてＵＥのための適切なリソースをスケジューリングすることができないことがあり得、それは、基地局によるスケジューリングの取り組みの低下ならびにシステムパフォーマンスの低減をもたらし得る（例えば、基地局が、ＵＥにとって不十分なチャネルまたは量のリソースをスケジューリングする場合）。
【発明の概要】
【０００５】
[0005]説明される技法は、ワイヤレスシステムのためのスケジューリング要求（ＳＲ）をサポートする改善された方法、システム、デバイス、または装置に関する。概して、説明される技法は、ＳＲをトリガしたデータに関連付けられた優先度レベルを示すために使用され得るシングルビットまたはマルチビットＳＲを提供する。例えば、ユーザ機器（ＵＥ）は、それが基地局に送信されるべきデータをバッファ中に有していることを識別し得る。データは、所与の優先度レベル、ヌメロロジ（numerology）、または論理チャネルに関連付けられ得、それらは、データタイプまたは他の要因に基づき得る。いくつかのケースでは、ＳＲ内のビットフィールドが、送信されるべきデータの優先度レベルを示すために使用され得る。他のケースでは、ＳＲ構成（例えば、ＳＲのフォーマット）またはＳＲの送信のために使用される無線リソースが、優先度レベルを示し得る。いくつかの例では、基地局に送信されるべきデータは、ターゲットヌメロロジに関連付けられ得る。送信されるべきデータのヌメロロジを示すために、ＵＥは、同じヌメロロジにしたがって、またはターゲットヌメロロジにしたがって構成された無線リソースを使用して、ＳＲを送信し得る。ＳＲを受信すると、基地局は、送信されるべきデータについての優先度レベルを決定し、およびデータのための適切な無線リソースをスケジューリングし得る。スケジューリングされたリソースはその後、アップリンク許可メッセージ中でＵＥに示され得る。
【０００６】
[0006]ワイヤレス通信の方法が説明される。方法は、ＵＥが基地局に送信されるべきデータをバッファ中に有していることをＵＥにおいて識別することと、データのための論理チャネル、またはデータに関連付けられたデータタイプ、あるいはそれらの組み合わせに少なくとも部分的に基づいて、基地局に送信されるべきバッファ中のデータについての優先度レベルを決定することと、データについての優先度レベルを示すＳＲを基地局に送信することとを含み得る。
【０００７】
[0007]ワイヤレス通信のための装置が説明される。装置は、ＵＥが基地局に送信されるべきデータをバッファ中に有していることをＵＥにおいて識別するための手段と、データのための論理チャネル、またはデータに関連付けられたデータタイプ、あるいはそれらの組み合わせに少なくとも部分的に基づいて、基地局に送信されるべきバッファ中のデータについての優先度レベルを決定するための手段と、データについての優先度レベルを示すＳＲを基地局に送信するための手段とを含み得る。
【０００８】
[0008]ワイヤレス通信のための別の装置が説明される。装置は、プロセッサと、プロセッサと電子通信状態にあるメモリと、メモリ中に記憶された命令とを含み得る。命令は、プロセッサに、ＵＥが基地局に送信されるべきデータをバッファ中に有していることをＵＥにおいて識別することと、データのための論理チャネル、またはデータに関連付けられたデータタイプ、あるいはそれらの組み合わせに少なくとも部分的に基づいて、基地局に送信されるべきバッファ中のデータについての優先度レベルを決定することと、データについての優先度レベルを示すＳＲを基地局に送信することとを行わせるように動作可能であり得る。
【０００９】
[0009]ワイヤレス通信のための非一時的コンピュータ可読媒体が説明される。非一時的コンピュータ可読媒体は、プロセッサに、ＵＥが基地局に送信されるべきデータをバッファ中に有していることをＵＥにおいて識別することと、データのための論理チャネル、またはデータに関連付けられたデータタイプ、あるいはそれらの組み合わせに少なくとも部分的に基づいて、基地局に送信されるべきバッファ中のデータについての優先度レベルを決定することと、データについての優先度レベルを示すＳＲを基地局に送信することとを行わせるように動作可能である命令を含み得る。
【００１０】
[0010]上述された方法、装置、および非一時的コンピュータ可読媒体のいくつかの例では、ＳＲは、ＳＲのビットフィールドを使用する決定された優先度レベルのインジケーションを含む。
【００１１】
[0011]上述された方法、装置、および非一時的コンピュータ可読媒体のいくつかの例では、ＳＲのビットフィールドは、決定された優先度レベルを示すための複数のビットを備える。
【００１２】
[0012]上述された方法、装置、および非一時的コンピュータ可読媒体のいくつかの例はさらに、ＳＲを送信するために使用されるべき無線リソースの複数のセットのうちの無線リソースの第１のセットを、決定された優先度レベルに少なくとも部分的に基づいて選択するためのプロセス、特徴、手段、または命令を含み得、ここにおいて、ＳＲを送信することは、無線リソースの識別された第１のセットを使用してＳＲを送信することを備える。
【００１３】
[0013]上述された方法、装置、および非一時的コンピュータ可読媒体のいくつかの例はさらに、アップリンクメッセージ中でのデータの送信のためのアップリンク許可を基地局から受信するためのプロセス、特徴、手段、または命令を含み得る。上述された方法、装置、および非一時的コンピュータ可読媒体のいくつかの例はさらに、アップリンク許可に少なくとも部分的に基づいて、アップリンクメッセージのためのアップリンクリソースを識別するためのプロセス、特徴、手段、または命令を含み得る。上述された方法、装置、および非一時的コンピュータ可読媒体のいくつかの例はさらに、データを備えるアップリンクメッセージを、識別されたアップリンクリソースを使用して送信するためのプロセス、特徴、手段、または命令を含み得る。
【００１４】
[0014]上述された方法、装置、および非一時的コンピュータ可読媒体のいくつかの例では、アップリンク許可は、データの送信のための論理チャネルに対応するリソースを示す。
【００１５】
[0015]上述された方法、装置、および非一時的コンピュータ可読媒体のいくつかの例では、ＳＲは、識別されたアップリンクリソースとは異なるリソースのセット上で送信され得る。
【００１６】
[0016]上述された方法、装置、および非一時的コンピュータ可読媒体のいくつかの例はさらに、決定された優先度レベルに少なくとも部分的に基づいて、ＳＲの送信のためのＳＲ構成を選択するためのプロセス、特徴、手段、または命令を含み得る。
【００１７】
[0017]上述された方法、装置、および非一時的コンピュータ可読媒体のいくつかの例はさらに、決定された優先度レベルがしきい値を上回ることを識別するためのプロセス、特徴、手段、または命令を含み得、ここにおいて、ＳＲは、決定された優先度レベルがしきい値を上回るという識別に少なくとも部分的に基づいて送信され得る。
【００１８】
[0018]上述された方法、装置、および非一時的コンピュータ可読媒体のいくつかの例では、データのための論理チャネルと決定された優先度レベルとのうちの１つまたは両方は、ヌメロロジに対応する。
【００１９】
[0019]上述された方法、装置、および非一時的コンピュータ可読媒体のいくつかの例はさらに、ＵＥが基地局に送信されるべき追加のデータを有し得るという識別に少なくとも部分的に基づいて、第２のＳＲを基地局に送信するためのプロセス、特徴、手段、または命令を含み得、ここにおいて、ＳＲは、第２のＳＲに対応する第２の時間期間より短くあり得る第１の時間期間に対応する。
【００２０】
[0020]上述された方法、装置、および非一時的コンピュータ可読媒体のいくつかの例はさらに、ＵＥが基地局に送信されるべき追加のデータを有し得ることをＵＥによって識別するためのプロセス、特徴、手段、または命令を含み得る。上述された方法、装置、および非一時的コンピュータ可読媒体のいくつかの例はさらに、追加のデータのための論理チャネル、または追加のデータに関連付けられたデータタイプ、あるいはそれらの組み合わせに少なくとも部分的に基づいて、追加のデータについての第２の優先度レベルを決定するためのプロセス、特徴、手段、または命令を含み得、ここにおいて、ＳＲを送信することは、優先度レベルが第２の優先度レベルより大きいことに少なくとも部分的に基づき得る。
【００２１】
[0021]上述された方法、装置、および非一時的コンピュータ可読媒体のいくつかの例では、ＳＲは、基地局に送信されるべきデータについてのバッファ状態のインジケーションを含む。
【００２２】
[0022]上述された方法、装置、および非一時的コンピュータ可読媒体のいくつかの例はさらに、ＳＲについての値と複数の論理チャネルについての優先度レベルとの間の対応を示すマッピングを基地局から受信するためのプロセス、特徴、手段、または命令を含み得る。
【００２３】
[0023]上述された方法、装置、および非一時的コンピュータ可読媒体のいくつかの例はさらに、基地局に送信されるべきデータについてのターゲットヌメロロジを識別するためのプロセス、特徴、手段、または命令を含み得、ここにおいて、ＳＲは、ターゲットヌメロロジを示す。
【００２４】
[0024]上述された方法、装置、および非一時的コンピュータ可読媒体のいくつかの例はさらに、ターゲットヌメロロジに少なくとも部分的に基づいて、ＳＲの送信のためのＳＲ構成を選択するためのプロセス、特徴、手段、または命令を含み得る。
【００２５】
[0025]上述された方法、装置、および非一時的コンピュータ可読媒体のいくつかの例では、ＳＲは、リソースの専用セットを通して送信され得る。
【００２６】
[0026]ワイヤレス通信の方法が説明される。方法は、ＵＥが基地局に送信するためのデータをバッファ中に有していることと、データについての優先度レベルとを示すＳＲを基地局によって受信することと、ＳＲに少なくとも部分的に基づいて、データの優先度レベルを決定することと、優先度レベルに少なくとも部分的に基づいて、データの送信のためのリソースを識別することと、識別されたリソースを示すアップリンク許可をＵＥに送信することとを含み得る。
【００２７】
[0027]ワイヤレス通信のための装置が説明される。装置は、ＵＥが基地局に送信するためのデータをバッファ中に有していることと、データについての優先度レベルとを示すＳＲを基地局によって受信するための手段と、ＳＲに少なくとも部分的に基づいて、データの優先度レベルを決定するための手段と、優先度レベルに少なくとも部分的に基づいて、データの送信のためのリソースを識別するための手段と、識別されたリソースを示すアップリンク許可をＵＥに送信するための手段とを含み得る。
【００２８】
[0028]ワイヤレス通信のための別の装置が説明される。装置は、プロセッサと、プロセッサと電子通信状態にあるメモリと、メモリ中に記憶された命令とを含み得る。命令は、プロセッサに、ＵＥが基地局に送信するためのデータをバッファ中に有していることと、データについての優先度レベルとを示すＳＲを基地局によって受信することと、ＳＲに少なくとも部分的に基づいて、データの優先度レベルを決定することと、優先度レベルに少なくとも部分的に基づいて、データの送信のためのリソースを識別することと、識別されたリソースを示すアップリンク許可をＵＥに送信することとを行わせるように動作可能であり得る。
【００２９】
[0029]ワイヤレス通信のための非一時的コンピュータ可読媒体が説明される。非一時的コンピュータ可読媒体は、プロセッサに、ＵＥが基地局に送信するためのデータをバッファ中に有していることと、データについての優先度レベルとを示すＳＲを基地局によって受信することと、ＳＲに少なくとも部分的に基づいて、データの優先度レベルを決定することと、優先度レベルに少なくとも部分的に基づいて、データの送信のためのリソースを識別することと、識別されたリソースを示すアップリンク許可をＵＥに送信することとを行わせるように動作可能である命令を含み得る。
【００３０】
[0030]上述された方法、装置、および非一時的コンピュータ可読媒体のいくつかの例では、ＳＲは、ＳＲのビットフィールドを使用する決定された優先度レベルのインジケーションを含む。
【００３１】
[0031]上述された方法、装置、および非一時的コンピュータ可読媒体のいくつかの例では、ＳＲのビットフィールドは、決定された優先度レベルを示すための複数のビットを備える。
【００３２】
[0032]上述された方法、装置、および非一時的コンピュータ可読媒体のいくつかの例はさらに、ＳＲを受信するために使用される無線リソースの複数のセットのうちの無線リソースの第１のセットを識別するためのプロセス、特徴、手段、または命令を含み得、ここにおいて、優先度レベルを決定することは、無線リソースの識別された第１のセットに少なくとも部分的に基づき得る。
【００３３】
[0033]上述された方法、装置、および非一時的コンピュータ可読媒体のいくつかの例はさらに、アップリンク許可に少なくとも部分的に基づいて、データを備えるアップリンクメッセージを、ＵＥから、およびデータの送信のための識別されたリソースを通して受信するためのプロセス、特徴、手段、または命令を含み得る。
【００３４】
[0034]上述された方法、装置、および非一時的コンピュータ可読媒体のいくつかの例では、ＳＲは、アップリンクメッセージとは異なる無線リソースのセット上で受信され得る。
【００３５】
[0035]上述された方法、装置、および非一時的コンピュータ可読媒体のいくつかの例では、アップリンク許可は、データの送信のために使用されるべき論理チャネルに対応するリソースを示す。
【００３６】
[0036]上述された方法、装置、および非一時的コンピュータ可読媒体のいくつかの例では、優先度レベルは、ＳＲによって示されるヌメロロジに少なくとも部分的に基づいて決定され得る。
【００３７】
[0037]上述された方法、装置、および非一時的コンピュータ可読媒体のいくつかの例では、ＳＲは、ヌメロロジにしたがって受信され得る。上述された方法、装置、および非一時的コンピュータ可読媒体のいくつかの例では、識別されたリソースは、ヌメロロジに少なくとも部分的に基づいて識別され得る。
【００３８】
[0038]上述された方法、装置、および非一時的コンピュータ可読媒体のいくつかの例はさらに、ＳＲについての値と複数の論理チャネルについての優先度レベルとの間の対応を示すマッピングをＵＥに送信するためのプロセス、特徴、手段、または命令を含み得る。
【００３９】
[0039]上述された方法、装置、および非一時的コンピュータ可読媒体のいくつかの例では、ＳＲはさらに、基地局に送信されるべきデータについてのバッファ状態のインジケーションを含む。
【００４０】
[0040]一実施形態では、デバイスまたはシステムは、プロセッサと、プロセッサと電子通信状態にあるメモリと、メモリ中に記憶され、およびプロセッサによって実行されたとき、装置に、ＵＥが基地局に送信されるべきデータをバッファ中に有していることをＵＥにおいて識別することと、データのための論理チャネル、またはデータに関連付けられたデータタイプ、あるいはそれらの組み合わせに少なくとも部分的に基づいて、基地局に送信されるべきバッファ中のデータについての優先度レベルを決定することと、データについての優先度レベルを示すＳＲを基地局に送信することとを行わせるように動作可能である命令とを含み得る。
【００４１】
[0041]一実施形態では、デバイスまたはシステムは、プロセッサと、プロセッサと電子通信状態にあるメモリと、メモリ中に記憶され、およびプロセッサによって実行されたとき、装置に、ＵＥが基地局に送信するためのデータをバッファ中に有していることと、データについての優先度レベルとを示すＳＲを基地局によって受信することと、ＳＲに少なくとも部分的に基づいて、データの優先度レベルを決定することと、優先度レベルに少なくとも部分的に基づいて、データの送信のためのリソースを識別することと、識別されたリソースを示すアップリンク許可をＵＥに送信することとを行わせるように動作可能である命令とを含み得る。
【図面の簡単な説明】
【００４２】
【図１】本開示の態様にしたがった、ワイヤレスシステムのためのスケジューリング要求をサポートするワイヤレス通信のためのシステムの例を例示する。
【図２】本開示の態様にしたがった、ワイヤレスシステムのためのスケジューリング要求をサポートするワイヤレス通信システムの例を例示する。
【図３Ａ】本開示の態様にしたがった、ワイヤレスシステムのためのスケジューリング要求をサポートする実例的なスケジューリング要求フォーマットを例示する。
【図３Ｂ】本開示の態様にしたがった、ワイヤレスシステムのためのスケジューリング要求をサポートする実例的なスケジューリング要求フォーマットを例示する。
【図４】本開示の態様にしたがった、ワイヤレスシステムのためのスケジューリング要求をサポートするプロセスフローの例を例示する。
【図５】本開示の態様にしたがった、ワイヤレスシステムのためのスケジューリング要求をサポートするデバイスのブロック図を示す。
【図６】本開示の態様にしたがった、ワイヤレスシステムのためのスケジューリング要求をサポートするデバイスのブロック図を示す。
【図７】本開示の態様にしたがった、ワイヤレスシステムのためのスケジューリング要求をサポートするデバイスのブロック図を示す。
【図８】本開示の態様にしたがった、ワイヤレスシステムのためのスケジューリング要求をサポートするＵＥを含むシステムのブロック図を例示する。
【図９】本開示の態様にしたがった、ワイヤレスシステムのためのスケジューリング要求をサポートするデバイスのブロック図を示す。
【図１０】本開示の態様にしたがった、ワイヤレスシステムのためのスケジューリング要求をサポートするデバイスのブロック図を示す。
【図１１】本開示の態様にしたがった、ワイヤレスシステムのためのスケジューリング要求をサポートするデバイスのブロック図を示す。
【図１２】本開示の態様にしたがった、ワイヤレスシステムのためのスケジューリング要求をサポートする基地局を含むシステムのブロック図を例示する。
【図１３】本開示の態様にしたがった、ワイヤレスシステムのためのスケジューリング要求のための方法を例示する。
【図１４】本開示の態様にしたがった、ワイヤレスシステムのためのスケジューリング要求のための方法を例示する。
【詳細な説明】
【００４３】
[0051]ワイヤレス通信システムは、ユーザ機器（ＵＥ）と基地局との間でのデータ通信をサポートする。ＵＥは、バッファ中にデータを記憶し、およびそれが基地局に送信されるべきデータを有していることを基地局に示し得る。いくつかのケースでは、ＵＥから基地局へのデータの送信より前に、ＵＥは、データを送信するためのリソースを要求するためのスケジューリング要求（ＳＲ）を基地局に送信し得る。いくつかのケースでは、基地局に送られるＳＲは単に、ＳＲに基づいて、ＵＥが保留中のデータを有していることを示すに過ぎないことがあり得る。しかしながら、基地局は、ＳＲに基づいて、データの量、データのタイプ、またはデータに関連する優先度情報を決定することができないことがあり得る。そのため、基地局は、例えば、少量のデータのみが送信されるべきであるときに多すぎる無線リソースをスケジューリングすることによって、または大量のデータが送信されるべきであるときに少なすぎる無線リソースをスケジューリングすることによって、ＳＲに基づいてＵＥのための適切なリソースをスケジューリングすることができないことがあり得る。同様に、ＳＲが送られるデータの優先度に気付いていない基地局は、より高い優先度データの前により低い優先度データをスケジューリングし得るか、またはそうでない場合は、リソースの割り振りを誤り得、それは、高優先度データのレイテンシを増大させ得る。結果として、システムパフォーマンスの低減があり得る。
【００４４】
[0052]ＳＲは、基地局に送信されるべきデータに関連付けられた優先度レベルを示し得るシングルビットまたはマルチビットメッセージであり得る。いくつかのケースでは、ＳＲは、バッファ状態のインジケーション（例えば、基地局に送信されるべきデータのサイズ）を含み得る。ＳＲ構成（例えば、フォーマット、ＳＲを送信するために使用されるリソース、および／またはＳＲを送信するために使用されるヌメロロジ）は、送信されるべきデータに基づき得る。例えば、ＳＲ構成またはＳＲ自体は、異なる優先度レベルに関連付けられたＳＲ構成またはＳＲのセットから選択され得る。いくつかの事例では、基地局に送信されるべきデータの優先度レベルは、データの送信のために使用されるべき論理チャネル、データのデータタイプ、またはそれらの組み合わせに基づいて、ＵＥによって決定され得る。ＳＲを受信すると、基地局は、（例えば、送信されるべきデータに関連するより多くの情報を要求するために）ＳＲ応答メッセージを送信し得るか、またはデータの送信のためのリソースを決定し得る。決定されたリソースはその後、例えば、アップリンク許可メッセージ中でＵＥに示され得る。
【００４５】
[0053]いくつかの状況では、サービング基地局を含むネットワークは、スケジューリングオーバヘッドをほとんどまたは全く増大させることなしに、説明されたＳＲを使用して、例えば、レイテンシを低減し、且つデータスループットおよび信頼性を増大させることによって、ＵＥにリソースをより良く割り振り、およびシステムパフォーマンスを改善することが可能であり得る。ここに説明されるＳＲはまた、サービスレベルおよびヌメロロジと互換性があり得、例えば、ＳＲは、低レイテンシサービスおよび高信頼性サービス、ならびに標準レイテンシおよび信頼性サービスのために使用され得る。
【００４６】
[0054]本開示の態様は、ワイヤレス通信システムのコンテキストにおいて最初に説明される。態様はその後、スケジューリング要求フォーマットおよびプロセスフローに関して説明する。本開示の態様はさらに、ワイヤレスシステムのためのスケジューリング要求に関連する装置図、システム図、およびフローチャートによって例示され、且つそれらを参照して説明される。
【００４７】
[0055]図１は、本開示の様々な態様にしたがった、ワイヤレス通信システム１００の例を例示している。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）／ＬＴＥ−Ａｄｖａｎｃｅｄ（ＬＴＥ−Ａ）ネットワーク、または新無線（ＮＲ）ネットワークであり得る。いくつかのケースでは、ワイヤレス通信システム１００は、拡張ブロードバンド通信と、超高信頼性（すなわち、ミッションクリティカル）通信と、低レイテンシ通信と、低コストおよび低複雑性デバイスとの通信とをサポートし得る。
【００４８】
[0056]基地局１０５は、１つまたは複数の基地局アンテナを介して、ＵＥ１１５とワイヤレスに通信し得る。各基地局１０５は、それぞれの地理的カバレッジエリア１１０に対して通信カバレッジを提供し得る。ワイヤレス通信システム１００中に示されている通信リンク１２５は、ＵＥ１１５から基地局１０５へのアップリンク送信、または基地局１０５からＵＥ１１５へのダウンリンク送信を含み得る。制御情報およびデータは、様々な技法にしたがって、アップリンクチャネルまたはダウンリンク上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルの送信時間間隔（ＴＴＩ）中に送信される制御情報は、カスケード方式で異なる制御領域間で（例えば、共通制御領域と、１つまたは複数のＵＥ固有制御領域との間で）分散され得る。
【００４９】
[0057]ＵＥ１１５は、ワイヤレス通信システム１００全体を通じて分散され得、および各ＵＥ１１５は、固定式または移動式であり得る。ＵＥ１１５はまた、モバイル局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適した専門用語で呼ばれ得る。ＵＥ１１５はまた、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、モノのインターネット（ＩｏＴ）デバイス、あらゆるモノのインターネット（ＩｏＥ：Internet of Everything）デバイス、マシンタイプ通信（ＭＴＣ）デバイス、器具、自動車、または同様のものであり得る。
【００５０】
[0058]いくつかのケースでは、ＵＥ１１５はまた、（例えば、ピアツーピア（Ｐ２Ｐ）またはデバイスツーデバイス（Ｄ２Ｄ）プロトコルを使用して）他のＵＥと直接通信することが可能であり得る。Ｄ２Ｄ通信を利用するＵＥ１１５のグループのうちの１つまたは複数は、セルのカバレッジエリア１１０内にあり得る。そのようなグループ中の他のＵＥ１１５は、セルのカバレッジエリア１１０の外部にあり得るか、またはそうでない場合は、基地局１０５からの送信を受信することができないことがあり得る。いくつかのケースでは、Ｄ２Ｄ通信を介して通信するＵＥ１１５のグループは、各ＵＥ１１５がグループ中の全ての他のＵＥ１１５に送信する一対多（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５とは独立して行われる。
【００５１】
[0059]ＭＴＣまたはＩｏＴデバイスのようないくつかのＵＥ１１５は、低コストまたは低複雑性デバイスであり得、およびマシン間の自動化された通信、すなわち、マシンツーマシン（Ｍ２Ｍ）通信を提供し得る。Ｍ２ＭまたはＭＴＣは、デバイスが、人間の介在なしに互いまたは基地局と通信することを可能にするデータ通信技術を指し得る。例えば、Ｍ２ＭまたはＭＴＣは、情報を測定またはキャプチャするためのセンサまたはメータを統合し、およびプログラムまたはアプリケーションと対話している人間にその情報を提示するか、あるいはその情報を利用することができるアプリケーションプログラムまたは中央サーバにその情報を中継するデバイスからの通信を指し得る。いくつかのＵＥ１１５は、情報を収集するか、または機械の自動化された挙動を可能にするように設計され得る。ＭＴＣデバイスのためのアプリケーションの例は、スマート計測、在庫（inventory）モニタリング、水位モニタリング、機器モニタリング、ヘルスケアモニタリング、野生生物モニタリング、天候および地質学的イベントモニタリング、保有車両（fleet）管理および追跡、リモートセキュリティ感知、物理アクセス制御、および取引ベースのビジネス課金（transaction-based business charging）を含む。
【００５２】
[0060]いくつかのケースでは、ＭＴＣデバイスは、低減されたピークレートでの半二重（一方向）通信を使用して動作し得る。ＭＴＣデバイスはまた、アクティブな通信に従事していないときに節電「ディープスリープ」モードに入るように構成され得る。いくつかのケースでは、ＭＴＣまたはＩｏＴデバイスは、ミッションクリティカル機能をサポートするように設計され得、およびワイヤレス通信システムは、これらの機能に対して超高信頼性通信を提供するように構成され得る。
【００５３】
[0061]基地局１０５は、コアネットワーク１３０と、および互いと通信し得る。例えば、基地局１０５は、バックホールリンク１３２（例えば、Ｓ１、等）を通じてコアネットワーク１３０とインターフェースし得る。基地局１０５は、直接的にまたは間接的に（例えば、コアネットワーク１３０を通じて）のいずれかで、バックホールリンク１３４（例えば、Ｘ２、等）を通して互いと通信し得る。基地局１０５は、ＵＥ１１５との通信のために無線構成およびスケジューリングを実行し得るか、または基地局コントローラ（図示せず）の制御下で動作し得る。いくつかの例では、基地局１０５は、マクロセル、スモールセル、ホットスポット、または同様のものであり得る。基地局１０５はまた、発展型ノードＢ（ｅＮＢ）１０５と呼ばれ得る。
【００５４】
[0062]基地局１０５は、コアネットワーク１３０にＳ１インターフェースによって接続され得る。コアネットワークは、発展型パケットコア（ＥＰＣ）であり得、それは、少なくとも１つのモビリティ管理エンティティ（ＭＭＥ）、少なくとも１つのサービングゲートウェイ（Ｓ−ＧＷ）、および少なくとも１つのパケットデータネットワーク（ＰＤＮ）ゲートウェイ（Ｐ−ＧＷ）を含み得る。ＭＭＥは、ＵＥ１１５とＥＰＣとの間でのシグナリングを処理する制御ノードであり得る。全てのユーザインターネットプロトコル（ＩＰ）パケットは、Ｓ−ＧＷを通じて転送され得、それ自体は、Ｐ−ＧＷに接続され得る。Ｐ−ＧＷは、ＩＰアドレス割り振りならびに他の機能を提供し得る。Ｐ−ＧＷは、ネットワークオペレータＩＰサービスに接続され得る。オペレータＩＰサービスは、インターネット、イントラネット、ＩＰマルチメディアサブシステム（ＩＭＳ）、およびパケット交換（ＰＳ）ストリーミングサービスを含み得る。
【００５５】
[0063]ワイヤレス通信システム１００は、７００ＭＨｚから２６００ＭＨｚ（２．６ＧＨｚ）までの周波数帯域を使用して、極超短波（ＵＨＦ）周波数領域中で動作し得るが、ネットワークの中には（例えば、ワイヤレスローカルエリアネットワーク（ＷＬＡＮ））、４ＧＨｚもの高さの周波数を使用するものがあり得る。この領域はまた、波長の長さが約１デシメートルから１メートルまでの範囲に及ぶことから、デシメートル帯域としても知られ得る。ＵＨＦ波は、主に見通し線によって伝搬し得、建物および環境特徴によって遮られ得る。しかしながら、その波は、屋内にロケートされたＵＥ１１５にサービスを提供するのに十分に壁を透過し得る。ＵＨＦ波の送信は、スペクトルの短波（ＨＦ）または超短波（ＶＨＦ）部分のより小さい周波数（およびより長い波）を使用する送信と比較して、より小さいアンテナおよびより短い範囲（例えば、１００ｋｍ未満）によって特徴付けられる。いくつかのケースでは、ワイヤレス通信システム１００はまた、スペクトルのミリ波（ＥＨＦ：extremely high frequency）部分（例えば、３０ＧＨｚから３００ＧＨｚまで）を利用し得る。この領域はまた、波長の長さが約１ミリメートルから１センチメートルまでの範囲に及ぶので、ミリ波帯域としても知られ得る。このことから、ＥＨＦアンテナは、ＵＨＦアンテナより一層小さくなり得、且つより密接に離間され得る。いくつかのケースでは、これは、（例えば、指向性ビームフォーミングのための）ＵＥ１１５内のアンテナアレイの使用を容易にし得る。しかしながら、ＥＨＦ送信は、ＵＨＦ送信より一層大きい大気減衰の影響を受け得、およびより短い範囲であり得る。
【００５６】
[0064]このことから、ワイヤレス通信システム１００は、ＵＥ１１５と基地局１０５との間でのミリメートル波（ｍｍＷ）通信をサポートし得る。ｍｍＷまたはＥＨＦ帯域中で動作するデバイスは、ビームフォーミングを可能にするために、複数のアンテナを有し得る。すなわち、基地局１０５は、ＵＥ１１５との指向性通信のためのビームフォーミング動作を行うために、複数のアンテナまたはアンテナアレイを使用し得る。ビームフォーミング（それはまた、空間フィルタリングまたは指向性送信と呼ばれ得る）は、ターゲット受信機（例えば、ＵＥ１１５）の方向にアンテナビーム全体をシェイピングするおよび／またはステアリングするために送信機（例えば、基地局１０５）において使用され得る信号処理技法である。これは、特定の角度の送信された信号が建設的干渉を経験し、その一方で他のものが相殺的干渉を経験するように、アンテナアレイ中の要素を組み合わせることによって達成され得る。
【００５７】
[0065]多入力多出力（ＭＩＭＯ）ワイヤレスシステムは、送信機（例えば、基地局１０５）と受信機（例えば、ＵＥ１１５）との間で送信スキームを使用し、ここで、送信機と受信機との両方は、複数のアンテナを装備されている。ワイヤレス通信システム１００のいくつかの部分は、ビームフォーミングを使用し得る。例えば、基地局１０５は、基地局１０５がＵＥ１１５とのその通信においてビームフォーミングのために使用し得るアンテナポートのいくつかの行および列を有するアンテナアレイを有し得る。信号は、異なる方向に複数回送信され得る（例えば、各送信は、異なるようにビームフォーミングされ得る）。ｍｍＷ受信機（例えば、ＵＥ１１５）は、同期信号を受信している間に、複数のビーム（例えば、アンテナサブアレイ）を試し得る。
【００５８】
[0066]いくつかのケースでは、基地局１０５またはＵＥ１１５のアンテナは、１つまたは複数のアンテナアレイ内にロケートされ得、それは、ビームフォーミングまたはＭＩＭＯ動作をサポートし得る。１つまたは複数の基地局アンテナまたはアンテナアレイは、アンテナタワーのようなアンテナアセンブリにおいてコロケートされ得る。いくつかのケースでは、基地局１０５に関連付けられたアンテナまたはアンテナアレイは、多様な地理的ロケーション中にロケートされ得る。基地局１０５は、ＵＥ１１５との指向性通信のためのビームフォーミング動作を行うために、複数のアンテナまたはアンテナアレイを使用し得る。
【００５９】
[0067]共有無線周波数スペクトル帯域は、ＮＲ共有スペクトルシステム中で利用され得る。例えば、ＮＲ共有スペクトルは、中でもとりわけ、ライセンス、共有、およびアンライセンススペクトルの任意の組み合わせを利用し得る。ｅＣＣシンボル持続時間およびサブキャリア間隔の柔軟性は、複数のスペクトルにわたるｅＣＣの使用を可能にし得る。いくつかの例では、ＮＲ共有スペクトルは、リソースの動的垂直（例えば、周波数にわたる）および水平（例えば、時間にわたる）共有を特に通じて、スペクトル利用およびスペクトル効率を増大させ得る。
【００６０】
[0068]いくつかのケースでは、ワイヤレス通信システム１００は、ライセンス無線周波数スペクトル帯域とアンライセンス無線周波数スペクトル帯域との両方を利用し得る。例えば、ワイヤレス通信システム１００は、５ＧＨｚ産業科学医療用（ＩＳＭ）帯域のようなアンライセンス帯域中で、ＬＴＥライセンス支援アクセス（ＬＴＥ−ＬＡＡ）またはＬＴＥアンライセンス（ＬＴＥ Ｕ）無線アクセス技術またはＮＲ技術を用い得る。アンライセンス無線周波数スペクトル帯域中で動作するとき、基地局１０５およびＵＥ１１５のようなワイヤレスデバイスは、データを送信する前にチャネルがクリアであることを確実にするために、リッスンビフォアトーク（ＬＢＴ）プロシージャを用い得る。いくつかのケースでは、アンライセンス帯域中での動作は、ライセンス帯域中で動作しているＣＣとともに、ＣＡ構成に基づき得る。アンライセンススペクトル中での動作は、ダウンリンク送信、アップリンク送信、または両方を含み得る。アンライセンススペクトル中での複信は、周波数分割複信（ＦＤＤ）、時分割複信（ＴＤＤ）、または両方の組み合わせに基づき得る。
【００６１】
[0069]いくつかの例では、ＵＥ１１５は、基地局１０５に送信されるべきデータについての優先度レベルのインジケーションを基地局１０５に送信し得る。データは、ＵＥ１１５におけるバッファ中に一時的に記憶され得る。優先度レベルのインジケーションは、ＳＲ中で送信され得、それは、シングルビットまたはマルチビットＳＲであり得る。いくつかのケースでは、ＳＲを送信するために使用される無線リソースまたはヌメロロジは、基地局１０５に送信されるべきデータのヌメロロジまたは優先度レベルを示し得る。他のケースでは、複数のＳＲ構成が、ＵＥ１１５によって知られ得（例えば、予め決定または予め構成される）、およびＵＥ１１５は、基地局１０５に送信されるべきデータに基づいて（例えば、データのための論理チャネルおよび／またはデータタイプに基づいて）、所与のＳＲ構成を選択し得る。
【００６２】
[0070]図２は、本開示の様々な態様にしたがった、ワイヤレスシステムのためのＳＲをサポートするワイヤレス通信システム２００の例を例示している。いくつかの例では、ワイヤレス通信システム２００は、ワイヤレス通信システム１００の態様をインプリメントし得る。示されているように、ワイヤレス通信システム２００は、基地局１０５−ａと通信するように構成されたＵＥ１１５−ａを含む。
【００６３】
[0071]いくつかの例では、ＵＥ１１５−ａおよび基地局１０５−ａは、１つまたは複数の論理チャネル（ＬＣＨ）２０５を通してデータを交換し得る。例えば、ＵＥ１１５−ａは、ＬＣＨ２０５−ａを介して基地局１０５−ａにアップリンクメッセージ中でデータを送信し得る。ＬＣＨ２０５−ａおよび２０５−ｂは、双方向チャネル、アップリンクチャネル、ダウンリンクチャネル、またはそれらの組み合わせであり得る。異なるＬＣＨ２０５−ａおよび２０５−ｂは、ＴＤＭＡ、ＣＤＭＡ、ＦＤＭＡ、ＯＦＤＭＡ、等のような異なる通信タイプをサポートし得る。ＬＣＨ２０５−ａおよび２０５−ｂを使用して交換されるデータは、音声データ、ビデオデータ、パケットデータ、等を含み得る。
【００６４】
[0072]ワイヤレス通信システム２００では、ＬＣＨ２０５−ａおよび２０５−ｂの各々は、それぞれのヌメロロジにしたがって動作し得る。いくつかのケースでは、１つまたは複数の優先度レベルが、特定のヌメロロジにマッピングされ得、およびヌメロロジは、ＬＣＨ２０５にマッピングされ得る。ヌメロロジは、周波数ドメイン中のＬＣＨ２０５の特定のサブキャリア間隔、あるいは時間ドメイン中のシンボルまたはＴＴＩ持続時間を表し得る。チャネルのヌメロロジは、（例えば、チャネルパフォーマンスを最適化するために）チャネルに対してサブキャリア間隔を提供するようにスケーラブルであり得る。いくつかの例では、サブキャリア間隔は、１ｋＨｚと４８０ｋＨｚとの間の範囲に及び得る。チャネルのＴＴＩ持続時間とともにチャネルのヌメロロジは、チャネル上での送信のために利用可能である無線リソースを決定するために使用され得る。いくつかのケースでは、ＬＣＨ２０５−ａのヌメロロジは、ＬＣＨ２０５−ｂのヌメロロジと同じであり得、およびいくつかのケースでは、ＬＣＨ２０５−ａのヌメロロジは、ＬＣＨ２０５−ｂのヌメロロジとは異なり得る。さらに、いくつかの態様にしたがって、ＳＲシグナリングは、ＳＲをトリガした論理チャネル（例えば、ＬＣＨ２０５−ａ）のＴＴＩ持続時間とヌメロロジとを区別するために使用され得る。
【００６５】
[0073]いくつかのケースでは、送信されるべきデータは、特定の優先度を有し得、およびその優先度に基づいて、ある特定のヌメロロジにマッピングされ得る。例えば、低レイテンシ通信（例えば、超高信頼性低レイテンシ通信（ＵＲＬＬＣ）データ）は、（例えば、その通信の低レイテンシの性質に起因して）ＬＣＨ２０５−ａを使用する送信のために指定され得る。このことから、保留中のＵＲＬＬＣデータは、送信についての高優先度状態を有し得る。この例では、ＵＲＬＬＣ通信の低レイテンシ要件を満たすために、ＬＣＨ２０５−ａは、信号がより素早く交換され得るように、より大きいサブキャリア間隔とより短いＴＴＩ持続時間とを有するヌメロロジを割り当てられ得、およびＵＲＬＬＣ通信は、ＬＣＨ２０５−ａにマッピングされるが、その一方で、より小さいサブキャリア間隔を有するヌメロロジは、ＬＣＨ２０５−ｂのために使用され得る。
【００６６】
[0074]別の例では、ＵＥ１１５−ａは、送信を待つ非ＵＲＬＬＣデータを有し得、および保留中の送信についての優先度レベルが低優先度のものである（または少なくともＵＲＬＬＣ通信より低い）と決定し得る。レイテンシ規格は、低レイテンシ通信と比較するとより厳しくないことがあり得ることから、ＬＣＨ２０５−ｂは、より小さいサブキャリア間隔とより長いＴＴＩ持続時間とを有するヌメロロジに対応する非ＵＲＬＬＣデータの送信のために使用され得る。
【００６７】
[0075]いくつかの例では、データの送信より前に、ＵＥ１１５−ａは、ＵＥ１１５−ａが基地局１０５−ａに送信されるべきデータを有していると基地局１０５−ａに示すために、チャネル２１０を通して基地局１０５−ａにＳＲを送信し得る。そうする際に、ＵＥ１１５−ａは、ＬＣＨ２０５−ａ、ＬＣＨ２０５−ｂ、または両方についての保留中のデータのためのアップリンク許可を受信することを予期し得る。チャネル２１０は、物理アップリンク制御チャネル（ＰＵＣＣＨ）のような制御チャネルまたはＳＲを送信することが可能である別のチャネルであり得る。いくつかのケースでは、ＰＵＣＣＨ上で送信されるＳＲ信号は、ＵＥ１１５−ａに保留中のアップリンクデータが存在するかどうかを示すバイナリシグナリングスキームを使用し得る。そのような事例では、基地局１０５−ａは、ＵＥ１１５−ａが待機中のデータを有していると決定し得るが、基地局１０５−ａが、保留中のデータについての優先度を知らないか、または送信されるべきデータがどれだけ存在するかを知らないことから、ＵＥ１１５−ａに対して無線リソースを適切にスケジューリングできないことがあり得る。この問題は、基地局１０５−ａが、ＵＥ１１５−ａへのアップリンク許可にそれがどのヌメロロジを提供すべきかを決定するのに十分な情報を有していないことがあり得ることから、ＵＥ１１５−ａが複数のヌメロロジで構成される場合に、さらに複雑となり得る。
【００６８】
[0076]それ故に、ＳＲは、チャネルヌメロロジのインジケーション、バッファ状態のインジケーションを含むように拡張され得るか、またはＵＲＬＬＣサービスのために構成され得る。ＳＲは、送信されるべきデータの優先度レベルを、およびそのことから、その要求をトリガしたＬＣＨ（例えば、ＬＣＨ２０５−ａ）のヌメロロジを、示し得る。基地局１０５−ａは、送信されるべきデータのための適切な無線リソースを優先順位付けするか、またはスケジューリングするために、優先度レベルのインジケーションを利用し得る。いくつかの例では、そのようなインジケーションは、ＬＣＨ２０５についての全てのヌメロロジに適用され得る。
【００６９】
[0077]超高信頼性および低レイテンシを達成するために、ＳＲは、送信されるべきデータ（例えば、ＵＲＬＬＣデータ）と同等なレベルの信頼性およびレイテンシパフォーマンスを有するように構成され得、それは、シングルビットＳＲを使用して達成可能ではないことがあり得る。例えば、いくつかのケースでは、ＴＴＩ（例えば、サブフレーム）の最小構成可能期間は、１ｍｓであり得、それは、ＵＲＬＬＣデータ規格によって示される時間の量より大きくあり得る。そのため、ＵＲＬＬＣのためのＳＲは、ＵＲＬＬＣのために設計された特定のフォーマットのものであり得、およびＵＲＬＬＣだけのために指定され得る（例えば、ＵＥ１１５−ａが、ＵＲＬＬＣおよび他のヌメロロジを使用して通信されるように構成される場合）。設計に依存して、ＵＲＬＬＣのためのＳＲは、複数のビットまたは１つのビットを有し得、そしてマルチビットがサポートされる場合には、ビットのうちの１つまたは複数は、（例えば、ヌメロロジまたは優先度レベルを示す代わりに、またはそれに加えて）ＵＲＬＬＣサービスを使用して送信されるべきデータのバッファ状態を示すために使用され得る。
【００７０】
[0078]いくつかのケースでは、ＵＲＬＬＣサービスのためのＳＲは、特定のＰＵＣＣＨフォーマットを使用して送信され得、それは、ＵＲＬＬＣデータと信頼性および低レイテンシにおいて互換性のあるパフォーマンスを有し得る。複数のビットがＳＲのためにサポートされる場合、複数のビットのうちの１つまたは複数は、ＵＲＬＬＣサービスのバッファ状態を示すために使用され得る。ＵＲＬＬＣ以外のヌメロロジの場合、そのような技法は、サービスの差別化を提供し得、また、スケジューリングレイテンシの低減にもつながり得る。
【００７１】
[0079]いくつかの例では、ＳＲは、要求をトリガしたＬＣＨ２０５（例えば、ＬＣＨ２０５−ａ）のヌメロロジを区別し得る。ＬＣＨ２０５が複数のヌメロロジにマッピングされ得ることから、ＬＣＨ２０５のためにどのヌメロロジを使用すべきかをＵＥ１１５−ａがどのように示し得るのかに関して、複数のオプションが利用され得る。例えば、ある１つのオプションは、ＵＥ１１５−ａが送信のために使用すべきヌメロロジを決定するというものであり得る。別の例では、アップリンク許可を提供する基地局１０５−ａが、使用すべきヌメロロジを決定し得る。
【００７２】
[0080]ＳＲはまた、その要求をトリガしたＬＣＨ２０５に関連付けられたバッファ状態を示し得るため、基地局１０５−ａは、ＵＥ１１５−ａに適切な量の無線リソースを割り振り得る。バッファ状態インジケータは、どれだけのデータがＵＥ１１５−ａからの送信を待っているかを示し得る。ＵＥ１１５−ａが基地局１０５−ａから許可を受信すると、ＵＥ１１５−ａは、（例えば、低減された遅延で）基地局１０５−ａに直接データを送信し得、それは、高優先度ＬＣＨ２０５にとっては有益であり得るが、それほど遅延に敏感でないＬＣＨにとってはわずかな利益しか有さないことがあり得る（例えば、拡張モバイルブロードバンド（ｅＭＢＢ：enhanced mobile broadband）サービスを使用するデータ無線ベアラ（ＤＲＢ：data radio bearers））。
【００７３】
[0081]代替として、ＳＲを受信した後に、基地局１０５−ａは、ＵＥ１１５−ａにその第１の許可中で無線リソースを過剰に割り振り得るため、ＵＥ１１５−ａは、その許可を受信した後に直接そのデータを送信し得る。高優先度ＬＣＨ２０５は、少量の送るためのデータを有する傾向があることから、この過剰な割り振りは、増大されたオーバヘッドをもたらさないことがあり得る。
【００７４】
[0082]一例では、ＵＥ１１５−ａは、データの送信のためにどのヌメロロジを使用すべきかを決め得る。この例では、ＳＲがＬＣＨ２０５中で送信されるべき新しいデータによってトリガされると、ＵＥ１１５−ａは、そのＬＣＨ２０５がマッピングされるヌメロロジのうちの１つを選択し得る。ＵＥ１１５−ａはその後、選択されたヌメロロジに関連付けられたＳＲを送信し得る。基地局１０５−ａは、ＳＲを受信した後に、ＳＲによって示されるヌメロロジにしたがって、１つまたは複数のアップリンク許可を割り振り得る。
【００７５】
[0083]ＵＥ１１５−ａが、どのヌメロロジを使用すべきかを決めることを可能にすることは、データを送信するためにヌメロロジを選択する際に柔軟性をＵＥ１１５−ａに提供し得る。しかしながら、ＵＥ１１５−ａが決めることを可能にすることは、新しいデータの優先度レベルの正確なインジケーションを基地局１０５−ａに与えないことがあり得、それは、基地局１０５−ａにおけるスケジューラにとって重要であり得る。例えば、幅広い範囲の優先度レベルを有するＬＣＨ２０５が、同じヌメロロジにマッピングされ得ることから、そのヌメロロジのインジケーションは、ＵＥ１１５−ａをスケジューリングするためにどの優先度を使用すべきかを基地局１０５−ａが決めるには十分でないことがあり得る。加えて、ＵＥ１１５−ａが単一のヌメロロジを使用して通信するように構成されるとき、ヌメロロジを示すことは、シングルビットＳＲを使用することと同等であり得、およびしたがって、１つより多くのヌメロロジを使用することと同じスケジューリングの利益を提供しないことがあり得る。
【００７６】
[0084]別の例では、基地局１０５−ａは、データの送信のためにどのヌメロロジを使用すべきかを決め得る。この例では、ＳＲがＬＣＨ２０５中で新しいデータによってトリガされると、ＵＥ１１５−ａは、その優先度レベルに関連付けられたＳＲを送信することによって、そのＬＣＨ２０５の優先度レベル、またはその優先度の何らかの縮約されたバージョン（例えば、論理チャネルグループに対するインデックス）を示し得る。ＳＲを受信した後に、基地局１０５−ａは、ＳＲ中に示された優先度レベルに基づいてどのヌメロロジを使用すべきかを含め、ＵＥ１１５−ａをどのようにスケジューリングするかを決め得る。この例では、ＳＲが優先度レベルを示すことから、基地局１０５−ａは、その構成されたヌメロロジにその優先度をマッピングし、および後に、利用可能な無線リソースに基づいてどのヌメロロジを使用すべきかを選択し得る。基地局１０５−ａはその後、そのヌメロロジにおいてＵＥ１１５−ａをどのように優先順位付けするかを決め得る。そのようなケースでは、トリガリングされたＬＣＨ２０５の優先度レベルをＳＲ中で示すことは、基地局１０５−ａにおけるスケジューリングを容易にし得る。
【００７７】
[0085]いくつかの例では、ＳＲは、シングルビットＳＲの複数の構成を使用し得る。例えば、ＵＥ１１５−ｂは、複数の１ビットＳＲリソースで構成され得、およびそのＳＲリソースの各々は、優先度レベルまたは優先度のグループに関連付けられ得る。しかしながら、より精確に優先度レベルを示すために、ＵＥ１１５−ｂは、いくつかのＳＲリソースで構成され得る。異なるＳＲリソースが異なる期間で構成され得るが、これは、ＰＵＣＣＨの容量に影響を与え得る。
【００７８】
[0086]ＳＲはまた、マルチビットＳＲであり、ＵＥ１１５−ａのために構成され得、ここで、そのビット値は、優先度レベルのグループにマッピングされ得る。例えば、マルチビットＳＲが２ビットをサポートする場合、ネットワークは、ＬＣＨ２０５の優先度を４つのグループへと分類し得る。マルチビットＳＲの値とＬＣＨ２０５の優先度との間でのマッピングは、ネットワークによって、または基地局１０５−ａによって構成され得る。そのような事例では、マルチビットＳＲは、より少ないＰＵＣＣＨリソースを利用し得、およびマルチビットＳＲは、（例えば、ビット数の結果として増大された復号複雑性に起因して）１ビットＳＲより信頼性が低くあり得るが、この低下は、最小であり得、およびこのことから、ＵＲＬＬＣ以外のヌメロロジに対してかなりの影響を有してはいないことがあり得る。加えて、マルチビットＳＲの期間は、シングルビットＳＲを利用することが可能であるデバイスがより少ない困難さでマルチビットＳＲを利用することが可能であり得るように、１ビットＳＲと同様に構成され得る。
【００７９】
[0087]いくつかの例では、マルチビットＳＲは、要求をトリガしたＬＣＨ２０５の優先度レベルを示すために、ＵＥ１１５−ａのために構成され得る。加えてまたは代替として、ネットワークまたは基地局１０５−ａは、マルチビットＳＲの値とＬＣＨ２０５の優先度レベルとの間でのマッピングを構成し得る。
【００８０】
[0088]いくつかの態様によると、複数のＳＲは、ＵＥ１１５−ｂのために構成され得る。例えば、２ビットＳＲがサポートされる場合、ネットワークまたは基地局１０５−ａはまた、ＵＥ１１５−ａのための２つのＳＲを構成し得る。１つのマルチビットＳＲは、高優先度ＬＣＨ２０５のために構成され得る。マルチビットＳＲまたは１ビットＳＲのいずれかであり得るもう一方のＳＲは、低優先度ＬＣＨ２０５のために構成され得る。これらの２つのＳＲは、異なる期間を有し得る。高優先度ＬＣＨ２０５に関連付けられたＳＲは、スケジューリングレイテンシを低減するために、より短い期間で構成され得、それは、高優先度ＬＣＨ２０５にとってより有益であり得る。
【００８１】
[0089]複数のＳＲの上記の例では、１つまたは複数のヌメロロジがそれ自体のＰＵＣＣＨで構成される場合、ネットワークは、ヌメロロジごとに１つのＳＲを構成し得、それは、マルチビットＳＲまたは１ビットＳＲのいずれかであり得る。マルチビットＳＲがある１つのヌメロロジのために構成される場合、ＳＲビット値は、そのヌメロロジに関連付けられたそれらのＬＣＨ２０５の優先度にマッピングされ得る。これらのＳＲの期間は、それらのヌメロロジに関連付けられたＬＣＨ２０５のレイテンシ要件に基づいて構成され得る。
【００８２】
[0090]加えてまたは代替として、ネットワークは、ＵＥ１１５−ａのための複数のＳＲを構成するオプションを有し得、それらは各々、マルチビットＳＲまたは１ビットＳＲのいずれかであり得る。
【００８３】
[0091]図３Ａおよび３Ｂは、本開示の様々な態様にしたがった、ワイヤレスシステムのためのＳＲをサポートする実例的なＳＲフォーマット３００を例示している。いくつかの例では、ＳＲフォーマット３００は、ワイヤレス通信システム１００の態様をインプリメントし得る。
【００８４】
[0092]ＳＲ３０５−ａは、ヌメロロジインジケータ３１０−ａを含み得る。ヌメロロジインジケータ３１０−ａは、ＳＲ３０５−ａをトリガしたチャネル（例えば、ＬＣＨ２０５−ａ）を通したデータ送信のためにどのヌメロロジを使用すべきかを示し得る。基地局は、ＳＲ３０５−ａを受信した後に、ヌメロロジインジケータ３１０−ａによって示されるヌメロロジにしたがって、１つまたは複数のアップリンク許可を割り振り得る。ヌメロロジインジケータは、シングルビットまたは複数のビットであり得、それは、ＳＲ３０５−ａのビットサイズに依存し得る。
【００８５】
[0093]ＳＲ３０５−ａはまた、バッファ状態インジケータ３１５−ａを含み得る。バッファ状態インジケータ３１５−ａは、要求をトリガしたＬＣＨ（例えば、ＬＣＨ２０５−ａ）に関連付けられ得るため、基地局は、ＵＥに直ちに適切な量の無線リソースを割り振り得る。バッファ状態インジケータ３１５−ａは、どれだけのデータがＵＥからの送信を待っているかを示し得る。これは、ＳＲ３０５−ａを受信する基地局が、ＵＥデータ送信のための関連するアップリンク許可中で適切な量の無線リソースを割り振ることを可能にし得る。バッファ状態インジケータはまた、シングルビットあるいは複数のビットであり得る。
【００８６】
[0094]図３Ｂに示されているように、ＳＲ３０５−ｂは、ヌメロロジインジケータ３１０−ｂを含み得る。ヌメロロジインジケータ３１０−ｂは、ＳＲ３０５−ｂ中で、そのＳＲをトリガしたＬＣＨ（例えば、ＬＣＨ２０５−ａ）中でデータが保留中であることを、示し得る。ヌメロロジインジケータ３１０−ｂは、シングルビットまたは複数のビットであり得る。
【００８７】
[0095]ＳＲ３０５−ｂはまた、バッファ状態インジケータ３１５−ｂを含み得る。バッファ状態インジケータ３１５−ｂは、要求をトリガしたＬＣＨ（例えば、ＬＣＨ２０５−ａ）に関連付けられ得るため、基地局は、ＵＥに適切な量の無線リソースを割り振り得る。バッファ状態インジケータ３１５−ｂは、どれだけのデータがＵＥからの送信を待っているかを示し得る。これは、ＳＲ３０５−ｂを受信する基地局が、ＵＥデータ送信のための関連するアップリンク許可中で適切な量の無線リソースを割り振ることを可能にし得る。バッファ状態インジケータ３１５−ｂはまた、シングルビットあるいは複数のビットであり得る。
【００８８】
[0096]いくつかの例では、ＳＲ３０５−ｂはまた、優先度インジケータ３２０を含み得る。優先度インジケータ３２０は、ＳＲ３０５−ｂをトリガしたＬＣＨ（例えば、ＬＣＨ２０５−ａ）を通した送信を待つデータの優先度レベルを示し得る。保留中のデータの優先度レベルは、送信を待つデータのタイプ（例えば、データまたは音声パケット）あるいはデータの送信品質特性（例えば、低レイテンシデータ）に関連付けられ得る。優先度インジケータ３２０は、シングルビットまたは複数のビットであり得る。優先度インジケータ３２０が複数のビットである場合、そのビット値の各々は、優先度レベルのグループにマッピングされ得る。ＳＲ３０５−ｂを受信した後に、基地局は、優先度インジケータ３２０中に示された優先度レベルに基づいてどのヌメロロジを使用すべきかを含め、ＵＥをどのようにスケジューリングするかを決め得る。
【００８９】
[0097]図４は、本開示の様々な態様にしたがった、ワイヤレスシステムのためのＳＲをサポートするプロセスフロー４００の例を例示している。いくつかの例では、プロセスフロー４００は、ワイヤレス通信システム１００の態様をインプリメントし得る。
【００９０】
[0098]４０５において、ＵＥ１１５−ｂは、ＵＥ１１５−ｂが基地局１０５−ｂに送信されるべきデータをバッファ中に有していると識別し得る。図２を参照して上述されたように、バッファは、ＬＣＨに関連付けられ得、ここで、論理チャネルは、ヌメロロジに対応し得る。
【００９１】
[0099]４１０において、ＵＥ１１５−ｂは、基地局１０５−ｂに送信されるべきバッファ中のデータについての優先度レベルを決定し得る。この決定は、データのためのＬＣＨ、データに関連付けられたデータタイプ、またはそれらの組み合わせに基づき得る。
【００９２】
[0100]４１５において、ＵＥ１１５−ｂは、データについての優先度レベルを示すＳＲを基地局１０５−ｂに送信し得る。ＳＲは、ＰＵＣＣＨ、またはＳＲを送信することが可能である任意の他のチャネルを通して送信され得る。いくつかのケースでは、ＳＲはまた、ビットフィールドを使用してデータについての優先度レベルを示し得、ここで、ビットフィールドは、シングルビットまたは複数のビットを備える。
【００９３】
[0101]４２０において、基地局１０５−ｂは、受信されたＳＲに基づいてデータの優先度を決定し得る。いくつかのケースでは、優先度レベルは、ＳＲによって示されるヌメロロジに基づいて決定され得る。
【００９４】
[0102]４２５において、基地局１０５−ｂは、決定された優先度レベルに少なくとも部分的に基づいて、バッファされたデータの送信のための無線リソースを識別し得る。いくつかのケースでは、無線リソースは、ＳＲ中に示されるヌメロロジに少なくとも部分的に基づいて識別される。
【００９５】
[0103]４３０において、基地局１０５−ｂは、識別された無線リソースを示すアップリンク許可をＵＥ１１５−ｂに送信し得る。アップリンク許可は、バッファされたデータのための送信をスケジューリングするために、ＵＥ１１５−ｂによって使用され得る。いくつかのケースでは、アップリンク許可は、バッファされたデータの送信のために使用されるべきＬＣＨに対応する無線リソースを示し得る。
【００９６】
[0104]図５は、本開示の態様にしたがった、ワイヤレスシステムのためのＳＲをサポートするワイヤレスデバイス５０５のブロック図５００を示している。ワイヤレスデバイス５０５は、ここに説明されたようなＵＥ１１５の態様の例であり得る。ワイヤレスデバイス５０５は、受信機５１０、ＵＥ通信マネージャ５１５、および送信機５２０を含み得る。ワイヤレスデバイス５０５はまた、プロセッサを含み得る。これらのコンポーネントの各々は、（例えば、１つまたは複数のバスを介して）互いと通信状態にあり得る。
【００９７】
[0105]受信機５１０は、様々な情報チャネル（例えば、ワイヤレスシステムのためのスケジューリング要求に関連する情報、データチャネル、および制御チャネル、等）に関連付けられた制御情報、ユーザデータ、またはパケットのような情報を受信し得る。情報は、デバイスの他のコンポーネントに渡され得る。受信機５１０は、図８を参照して説明されるトランシーバ８３５の態様の例であり得る。受信機５１０は、単一のアンテナまたはアンテナのセットを利用し得る。
【００９８】
[0106]ＵＥ通信マネージャ５１５は、図８を参照して説明されるＵＥ通信マネージャ８１５の態様の例であり得る。ＵＥ通信マネージャ５１５および／またはその様々なサブコンポーネントのうちの少なくともいくつかは、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、ＵＥ通信マネージャ５１５および／またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示に説明される機能を実行するように設計されたそれらの任意の組み合わせによって実行され得る。
【００９９】
[0107]ＵＥ通信マネージャ５１５および／またはその様々なサブコンポーネントのうちの少なくともいくつかは、機能の一部分が１つまたは複数の物理的デバイスによって異なる物理的ロケーションにおいてインプリメントされるように分散されることを含め、様々な位置に物理的にロケートされ得る。いくつかの例では、ＵＥ通信マネージャ５１５および／またはその様々なサブコンポーネントのうちの少なくともいくつかは、本開示の様々な態様したがった、別個のおよび異なるコンポーネントであり得る。他の例では、ＵＥ通信マネージャ５１５および／またはその様々なサブコンポーネントのうちの少なくともいくつかは、本開示の様々な態様にしたがって、Ｉ／Ｏコンポーネント、トランシーバ、ネットワークサーバ、別のコンピューティングデバイス、本開示に説明される１つまたは複数の他のコンポーネント、またはそれらの組み合わせを含むがそれらに限定されない、１つまたは複数の他のハードウェアコンポーネントと組み合わされ得る。
【０１００】
[0108]ＵＥ通信マネージャ５１５は、ＵＥが基地局に送信されるべきデータをバッファ中に有していることをＵＥにおいて識別することと、データのための論理チャネル、またはデータに関連付けられたデータタイプ、あるいはそれらの組み合わせに基づいて、基地局に送信されるべきバッファ中のデータについての優先度レベルを決定することと、データについての優先度レベルを示すＳＲを基地局に送信することとを行い得る。
【０１０１】
[0109]送信機５２０は、デバイスの他のコンポーネントによって生成される信号を送信し得る。いくつかの例では、送信機５２０は、トランシーバモジュール中で受信機５１０とコロケートされ得る。例えば、送信機５２０は、図８を参照して説明されるトランシーバ８３５の態様の例であり得る。送信機５２０は、単一のアンテナまたはアンテナのセットを利用し得る。
【０１０２】
[0110]図６は、本開示の態様にしたがった、ワイヤレスシステムのためのスケジューリング要求をサポートするワイヤレスデバイス６０５のブロック図６００を示している。ワイヤレスデバイス６０５は、図５を参照して説明されたようなワイヤレスデバイス５０５またはＵＥ１１５の態様の例であり得る。ワイヤレスデバイス６０５は、受信機６１０、ＵＥ通信マネージャ６１５、および送信機６２０を含み得る。ワイヤレスデバイス６０５はまた、プロセッサを含み得る。これらのコンポーネントの各々は、（例えば、１つまたは複数のバスを介して）互いと通信状態にあり得る。
【０１０３】
[0111]受信機６１０は、様々な情報チャネル（例えば、ワイヤレスシステムのためのスケジューリング要求に関連する情報、データチャネル、および制御チャネル、等）に関連付けられた制御情報、ユーザデータ、またはパケットのような情報を受信し得る。情報は、デバイスの他のコンポーネントに渡され得る。受信機６１０は、図８を参照して説明されるトランシーバ８３５の態様の例であり得る。受信機６１０は、単一のアンテナまたはアンテナのセットを利用し得る。
【０１０４】
[0112]ＵＥ通信マネージャ６１５は、図８を参照して説明されるＵＥ通信マネージャ８１５の態様の例であり得る。
【０１０５】
[0113]ＵＥ通信マネージャ６１５はまた、データコンポーネント６２５、優先度コンポーネント６３０、およびＳＲコンポーネント６３５を含み得る。
【０１０６】
[0114]データコンポーネント６２５は、ＵＥが基地局に送信されるべきデータをバッファ中に有していることをＵＥにおいて識別することと、ＵＥが基地局に送信されるべき追加のデータを有することをＵＥによって識別することとを行い得る。いくつかのケースでは、データは、ＵＲＬＬＣデータを含む。
【０１０７】
[0115]優先度コンポーネント６３０は、データのための論理チャネル、またはデータに関連付けられたデータタイプ、あるいはそれらの組み合わせに基づいて、基地局に送信されるべきバッファ中のデータについての優先度レベルを決定することと、追加のデータのための論理チャネル、または追加のデータに関連付けられたデータタイプ、あるいはそれらの組み合わせに基づいて、追加のデータについての第２の優先度レベルを決定することとを行い得、ここで、ＳＲを送信することは、優先度レベルが第２の優先度レベルより大きいことに基づく。いくつかのケースでは、データのための論理チャネルと決定された優先度レベルとのうちの１つまたは両方は、ヌメロロジに対応する。
【０１０８】
[0116]ＳＲコンポーネント６３５は、データについての優先度レベルを示すＳＲを基地局に送信することと、ＵＥが基地局に送信されるべき追加のデータを有しているという識別に基づいて、第２のＳＲを基地局に送信することとを行い得る。いくつかのケースでは、ＳＲは、ＳＲのビットフィールドを使用する決定された優先度レベルのインジケーションを含む。いくつかのケースでは、ＳＲのビットフィールドは、決定された優先度レベルを示すためのビットのセットを含む。いくつかのケースでは、ＳＲは、識別されたアップリンク無線リソースとは異なる無線リソースのセット上で送信される。いくつかのケースでは、ＳＲは、第２のＳＲに対応する第２の時間期間より短い第１の時間期間に対応する。いくつかのケースでは、ＳＲは、基地局に送信されるべきデータについてのバッファ状態のインジケーションを含む。いくつかのケースでは、ＳＲは、ＣＤＭＡチャネルを通して送信される。
【０１０９】
[0117]送信機６２０は、デバイスの他のコンポーネントによって生成される信号を送信し得る。いくつかの例では、送信機６２０は、トランシーバモジュール中で受信機６１０とコロケートされ得る。例えば、送信機６２０は、図８を参照して説明されるトランシーバ８３５の態様の例であり得る。送信機６２０は、単一のアンテナまたはアンテナのセットを利用し得る。
【０１１０】
[0118]図７は、本開示の態様にしたがった、ワイヤレスシステムのためのスケジューリング要求をサポートするＵＥ通信マネージャ７１５のブロック図７００を示している。ＵＥ通信マネージャ７１５は、図５、６、および８を参照して説明されるＵＥ通信マネージャ５１５、ＵＥ通信マネージャ６１５、またはＵＥ通信マネージャ８１５の態様の例であり得る。ＵＥ通信マネージャ７１５は、データコンポーネント７２０、優先度コンポーネント７２５、ＳＲコンポーネント７３０、リソースコンポーネント７３５、受信コンポーネント７４０、アップリンクリソースコンポーネント７４５、送信コンポーネント７５０、構成コンポーネント７５５、しきい値コンポーネント７６０、およびヌメロロジコンポーネント７６５を含み得る。これらのモジュールの各々は、（例えば、１つまたは複数のバスを介して）互いと直接的にまたは間接的に通信し得る。
【０１１１】
[0119]データコンポーネント７２０は、ＵＥが基地局に送信されるべきデータをバッファ中に有していることをＵＥにおいて識別することと、ＵＥが基地局に送信されるべき追加のデータを有することをＵＥによって識別することとを行い得る。いくつかのケースでは、データは、ＵＲＬＬＣデータを含む。
【０１１２】
[0120]優先度コンポーネント７２５は、データのための論理チャネル、またはデータに関連付けられたデータタイプ、あるいはそれらの組み合わせに基づいて、基地局に送信されるべきバッファ中のデータについての優先度レベルを決定することと、追加のデータのための論理チャネル、または追加のデータに関連付けられたデータタイプ、あるいはそれらの組み合わせに基づいて、追加のデータについての第２の優先度レベルを決定することとを行い得、ここで、ＳＲを送信することは、優先度レベルが第２の優先度レベルより大きいことに基づく。いくつかのケースでは、データのための論理チャネルと決定された優先度レベルとのうちの１つまたは両方は、ヌメロロジに対応する。
【０１１３】
[0121]ＳＲコンポーネント７３０は、データについての優先度レベルを示すＳＲを基地局に送信することと、ＵＥが基地局に送信されるべき追加のデータを有しているという識別に基づいて、第２のＳＲを基地局に送信することとを行い得る。いくつかのケースでは、ＳＲは、ＳＲのビットフィールドを使用する決定された優先度レベルのインジケーションを含む。いくつかのケースでは、ＳＲのビットフィールドは、決定された優先度レベルを示すためのビットのセットを含む。いくつかのケースでは、ＳＲは、識別されたアップリンクリソースとは異なる無線リソースのセット上で送信される。いくつかのケースでは、ＳＲは、第２のＳＲに対応する第２の時間期間より短い第１の時間期間に対応する。いくつかのケースでは、ＳＲは、基地局に送信されるべきデータについてのバッファ状態のインジケーションを含む。いくつかのケースでは、ＳＲは、ＰＵＣＣＨを通して送信される。
【０１１４】
[0122]リソースコンポーネント７３５は、ＳＲを送信するために使用されるべき無線リソースの複数のセットのうちの無線リソースの第１のセットを、決定された優先度レベルに基づいて選択し得、ここで、ＳＲを送信することは、無線リソースの識別された第１のセットを使用してＳＲを送信することを含む。
【０１１５】
[0123]受信コンポーネント７４０は、アップリンクメッセージ中でのデータの送信のためのアップリンク許可を基地局から受信することと、ＳＲについての値と複数の論理チャネルについての優先度レベルとの間の対応を示すマッピングを基地局から受信することとを行い得る。
【０１１６】
[0124]アップリンクリソースコンポーネント７４５は、アップリンク許可に基づいて、アップリンクメッセージのためのアップリンクリソースを識別し得る。いくつかのケースでは、アップリンク許可は、データの送信のための論理チャネルに対応するリソースを示す。
【０１１７】
[0125]送信コンポーネント７５０は、データを含むアップリンクメッセージを、識別されたアップリンクリソースを使用して送信し得る。
【０１１８】
[0126]構成コンポーネント７５５は、選択された優先度レベルに基づいて、ＳＲの送信のためのＳＲ構成を選択することと、ターゲットヌメロロジに基づいて、ＳＲの送信のためのＳＲ構成を選択することとを行い得る。
【０１１９】
[0127]しきい値コンポーネント７６０は、決定された優先度レベルがしきい値を上回ることを識別し得、ここで、ＳＲは、決定された優先度レベルがしきい値を上回るという識別に基づいて送信される。
【０１２０】
[0128]ヌメロロジコンポーネント７６５は、基地局に送信されるべきデータについてのターゲットヌメロロジを識別し得、ここで、ＳＲは、ターゲットヌメロロジを示す。
【０１２１】
[0129]図８は、本開示の態様にしたがった、ワイヤレスシステムのためのスケジューリング要求をサポートするデバイス８０５を含むシステム８００の図を示している。デバイス８０５は、例えば、図５および６を参照して上述されたようなワイヤレスデバイス５０５、ワイヤレスデバイス６０５、またはＵＥ１１５のコンポーネントの例であり得るか、またはそれらを含み得る。デバイス８０５は、ＵＥ通信マネージャ８１５、プロセッサ８２０、メモリ８２５、ソフトウェア８３０、トランシーバ８３５、アンテナ８４０、およびＩ／Ｏコントローラ８４５を含む、通信を送信および受信するためのコンポーネントを含む双方向音声およびデータ通信のためのコンポーネントを含み得る。これらのコンポーネントは、１つまたは複数のバス（例えば、バス８１０）を介して電子通信状態にあり得る。デバイス８０５は、１つまたは複数の基地局１０５とワイヤレスに通信し得る。
【０１２２】
[0130]プロセッサ８２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはそれらの任意の組み合わせ）を含み得る。いくつかのケースでは、プロセッサ８２０は、メモリコントローラを使用してメモリアレイを動作させるように構成され得る。他のケースでは、メモリコントローラは、プロセッサ８２０へと統合され得る。プロセッサ８２０は、様々な機能（例えば、ワイヤレスシステムのためのスケジューリング要求をサポートする機能またはタスク）を実行するために、メモリ中に記憶されたコンピュータ可読命令を実行するように構成され得る。
【０１２３】
[0131]メモリ８２５は、ランダムアクセスメモリ（ＲＡＭ）および読取専用メモリ（ＲＯＭ）を含み得る。メモリ８２５は、実行されると、プロセッサに、ここに説明された様々な機能を実行することを行わせる命令を含むコンピュータ可読、コンピュータ実行可能ソフトウェア８３０を記憶し得る。いくつかのケースでは、メモリ８２５は、中でもとりわけ、周辺コンポーネントまたはデバイスとの対話のような基本ハードウェアまたはソフトウェア動作を制御し得る基本入力／出力システム（ＢＩＯＳ：a basic input/output system）を包含し得る。
【０１２４】
[0132]ソフトウェア８３０は、ワイヤレスシステムのためのスケジューリング要求をサポートするためのコードを含む、本開示の態様をインプリメントするためのコードを含み得る。ソフトウェア８３０は、システムメモリまたは他のメモリのような非一時的コンピュータ可読媒体中に記憶され得る。いくつかのケースでは、ソフトウェア８３０は、プロセッサによって直接的に実行可能でないことがあり得るが、（例えば、コンパイルおよび実行されると）コンピュータに、ここに説明された機能を実行することを行わせ得る。
【０１２５】
[0133]トランシーバ８３５は、上述されたように、１つまたは複数のアンテナ、ワイヤードまたはワイヤレスリンクを介して双方向に通信し得る。例えば、トランシーバ８３５は、ワイヤレストランシーバを表し得、および別のワイヤレストランシーバと双方向に通信し得る。トランシーバ８３５はまた、パケットを変調し、および送信のためにアンテナに変調されたパケットを提供することと、アンテナから受信されたパケットを復調することとを行うためのモデムを含み得る。
【０１２６】
[0134]いくつかのケースでは、ワイヤレスデバイスは、単一のアンテナ８４０を含み得る。しかしながら、いくつかのケースでは、デバイスは、１つよりも多くのアンテナ８４０を有し得、それらは、複数のワイヤレス送信を同時に送信または受信することが可能であり得る。
【０１２７】
[0135]Ｉ／Ｏコントローラ８４５は、デバイス８０５のための入力および出力信号を管理し得る。Ｉ／Ｏコントローラ８４５はまた、デバイス８０５へと統合されていない周辺機器を管理し得る。いくつかのケースでは、Ｉ／Ｏコントローラ８４５は、外部周辺機器への物理的接続またはポートを表し得る。いくつかのケースでは、Ｉ／Ｏコントローラ８４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムのようなオペレーティングシステムを利用し得る。他のケースでは、Ｉ／Ｏコントローラ８４５は、モデム、キーボード、マウス、タッチスクリーン、または同様のデバイスを表し得るか、またはそれらと対話し得る。いくつかのケースでは、Ｉ／Ｏコントローラ８４５は、プロセッサの一部としてインプリメントされ得る。いくつかのケースでは、ユーザは、Ｉ／Ｏコントローラ８４５を介して、またはＩ／Ｏコントローラ８４５によって制御されるハードウェアコンポーネントを介して、デバイス８０５と対話し得る。
【０１２８】
[0136]図９は、本開示の態様にしたがった、ワイヤレスシステムのためのスケジューリング要求をサポートするワイヤレスデバイス９０５のブロック図９００を示している。ワイヤレスデバイス９０５は、ここに説明されたような基地局１０５の態様の例であり得る。ワイヤレスデバイス９０５は、受信機９１０、基地局通信マネージャ９１５、および送信機９２０を含み得る。ワイヤレスデバイス９０５はまた、プロセッサを含み得る。これらのコンポーネントの各々は、（例えば、１つまたは複数のバスを介して）互いと通信状態にあり得る。
【０１２９】
[0137]受信機９１０は、様々な情報チャネル（例えば、ワイヤレスシステムのためのスケジューリング要求に関連する情報、データチャネル、および制御チャネル、等）に関連付けられた制御情報、ユーザデータ、またはパケットのような情報を受信し得る。情報は、デバイスの他のコンポーネントに渡され得る。受信機９１０は、図１２を参照して説明されるトランシーバ１２３５の態様の例であり得る。受信機９１０は、単一のアンテナまたはアンテナのセットを利用し得る。
【０１３０】
[0138]基地局通信マネージャ９１５は、図１２を参照して説明される基地局通信マネージャ１２１５の態様の例であり得る。基地局通信マネージャ９１５および／またはその様々なサブコンポーネントのうちの少なくともいくつかは、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、基地局通信マネージャ９１５および／またはその様々なサブコンポーネントのうちの少なくともいくつかの機能は、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいは本開示に説明される機能を実行するように設計されたそれらの任意の組み合わせによって実行され得る。
【０１３１】
[0139]基地局通信マネージャ９１５および／またはその様々なサブコンポーネントのうちの少なくともいくつかは、機能の一部分が１つまたは複数の物理的デバイスによって異なる物理的ロケーションにおいてインプリメントされるように分散されることを含め、様々な位置に物理的にロケートされ得る。いくつかの例では、基地局通信マネージャ９１５および／またはその様々なサブコンポーネントのうちの少なくともいくつかは、本開示の様々な態様したがった、別個のおよび異なるコンポーネントであり得る。他の例では、基地局通信マネージャ９１５および／またはその様々なサブコンポーネントのうちの少なくともいくつかは、本開示の様々な態様にしたがって、Ｉ／Ｏコンポーネント、トランシーバ、ネットワークサーバ、別のコンピューティングデバイス、本開示に説明される１つまたは複数の他のコンポーネント、またはそれらの組み合わせを含むがそれらに限定されない、１つまたは複数の他のハードウェアコンポーネントと組み合わされ得る。
【０１３２】
[0140]基地局通信マネージャ９１５は、ＵＥが基地局に送信するためのデータをバッファ中に有していることと、データについての優先度レベルとを示すＳＲを基地局によって受信することと、ＳＲに基づいて、データの優先度レベルを決定することと、優先度レベルに基づいて、データの送信のためのリソースを識別することと、識別されたリソースを示すアップリンク許可をＵＥに送信することとを行い得る。
【０１３３】
[0141]送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１２を参照して説明されるトランシーバ１２３５の態様の例であり得る。送信機９２０は、単一のアンテナまたはアンテナのセットを利用し得る。
【０１３４】
[0142]図１０は、本開示の態様にしたがった、ワイヤレスシステムのためのスケジューリング要求をサポートするワイヤレスデバイス１００５のブロック図１０００を示している。ワイヤレスデバイス１００５は、図９を参照して説明されたようなワイヤレスデバイス９０５または基地局１０５の態様の例であり得る。ワイヤレスデバイス１００５は、受信機１０１０、基地局通信マネージャ１０１５、および送信機１０２０を含み得る。ワイヤレスデバイス１００５はまた、プロセッサを含み得る。これらのコンポーネントの各々は、（例えば、１つまたは複数のバスを介して）互いと通信状態にあり得る。
【０１３５】
[0143]受信機１０１０は、様々な情報チャネル（例えば、ワイヤレスシステムのためのスケジューリング要求に関連する情報、データチャネル、および制御チャネル、等）に関連付けられた制御情報、ユーザデータ、またはパケットのような情報を受信し得る。情報は、デバイスの他のコンポーネントに渡され得る。受信機１０１０は、図１２を参照して説明されるトランシーバ１２３５の態様の例であり得る。受信機１０１０は、単一のアンテナまたはアンテナのセットを利用し得る。
【０１３６】
[0144]基地局通信マネージャ１０１５は、図１２を参照して説明される基地局通信マネージャ１２１５の態様の例であり得る。
【０１３７】
[0145]基地局通信マネージャ１０１５はまた、ＳＲ受信機１０２５、優先度レベルコンポーネント１０３０、リソースコンポーネント１０３５、および許可コンポーネント１０４０を含み得る。
【０１３８】
[0146]ＳＲ受信機１０２５は、ＵＥが基地局に送信するためのデータをバッファ中に有していることと、データについての優先度レベルとを示すＳＲを基地局によって受信し得る。いくつかのケースでは、ＳＲは、ＳＲのビットフィールドを使用する決定された優先度レベルのインジケーションを含む。いくつかのケースでは、ＳＲのビットフィールドは、決定された優先度レベルを示すためのビットのセットを含む。いくつかのケースでは、ＳＲは、ヌメロロジにしたがって受信される。いくつかのケースでは、ＳＲはさらに、基地局に送信されるべきデータについてのバッファ状態のインジケーションを含む。いくつかのケースでは、データは、ＵＲＬＬＣデータを含む。いくつかのケースでは、ＳＲは、ＰＵＣＣＨを通して送信される。
【０１３９】
[0147]優先度レベルコンポーネント１０３０は、ＳＲに基づいてデータの優先度レベルを決定し得る。いくつかのケースでは、優先度レベルは、ＳＲによって示されるヌメロロジに基づいて決定される。
【０１４０】
[0148]リソースコンポーネント１０３５は、優先度レベルに基づいて、データの送信のためのリソースを識別することと、ＳＲを受信するために使用される無線リソースの複数のセットのうちの無線リソースの第１のセットを識別することを行い得、ここで、優先度レベルを決定することは、無線リソースの識別された第１のセットに基づく。いくつかのケースでは、識別されるリソースは、ヌメロロジに基づいて識別される。
【０１４１】
[0149]許可コンポーネント１０４０は、識別されたリソースを示すアップリンク許可をＵＥに送信し得る。いくつかのケースでは、アップリンク許可は、データの送信のために使用されるべき論理チャネルに対応するリソースを示す。
【０１４２】
[0150]送信機１０２０は、デバイスの他のコンポーネントによって生成される信号を送信し得る。いくつかの例では、送信機１０２０は、トランシーバモジュール中で受信機１０１０とコロケートされ得る。例えば、送信機１０２０は、図１２を参照して説明されるトランシーバ１２３５の態様の例であり得る。送信機１０２０は、単一のアンテナまたはアンテナのセットを利用し得る。
【０１４３】
[0151]図１１は、本開示の態様にしたがった、ワイヤレスシステムのためのスケジューリング要求をサポートする基地局通信マネージャ１１１５のブロック図１１００を示している。基地局通信マネージャ１１１５は、図９、１０、および１２を参照して説明される基地局通信マネージャ１２１５の態様の例であり得る。基地局通信マネージャ１１１５は、ＳＲ受信機１１２０、優先度レベルコンポーネント１１２５、リソースコンポーネント１１３０、許可コンポーネント１１３５、アップリンク受信機１１４０、およびマッピングコンポーネント１１４５を含み得る。これらのモジュールの各々は、（例えば、１つまたは複数のバスを介して）互いと直接的にまたは間接的に通信し得る。
【０１４４】
[0152]ＳＲ受信機１１２０は、ＵＥが基地局に送信するためのデータをバッファ中に有していることと、データについての優先度レベルとを示すＳＲを基地局によって受信し得る。いくつかのケースでは、ＳＲは、ＳＲのビットフィールドを使用する決定された優先度レベルのインジケーションを含む。いくつかのケースでは、ＳＲのビットフィールドは、決定された優先度レベルを示すためのビットのセットを含む。いくつかのケースでは、ＳＲは、ヌメロロジにしたがって受信される。いくつかのケースでは、ＳＲはさらに、基地局に送信されるべきデータについてのバッファ状態のインジケーションを含む。いくつかのケースでは、データは、ＵＲＬＬＣデータを含む。いくつかのケースでは、ＳＲは、ＰＵＣＣＨを通して送信される。
【０１４５】
[0153]優先度レベルコンポーネント１１２５は、ＳＲに基づいてデータの優先度レベルを決定し得る。いくつかのケースでは、優先度レベルは、ＳＲによって示されるヌメロロジに基づいて決定される。
【０１４６】
[0154]リソースコンポーネント１１３０は、優先度レベルに基づいて、データの送信のためのリソースを識別することと、ＳＲを受信するために使用される無線リソースの複数のセットのうちの無線リソースの第１のセットを識別することを行い得、ここで、優先度レベルを決定することは、無線リソースの識別された第１のセットに基づく。いくつかのケースでは、識別されるリソースは、ヌメロロジに基づいて識別される。
【０１４７】
[0155]許可コンポーネント１１３５は、識別されたリソースを示すアップリンク許可をＵＥに送信し得る。いくつかのケースでは、アップリンク許可は、データの送信のために使用されるべき論理チャネルに対応するリソースを示す。
【０１４８】
[0156]アップリンク受信機１１４０は、アップリンク許可に基づいて、データを含むアップリンクメッセージを、ＵＥから、およびデータの送信のための識別されたリソースを通して受信し得る。いくつかのケースでは、ＳＲは、アップリンクメッセージとは異なる無線リソースのセット上で受信される。
【０１４９】
[0157]マッピングコンポーネント１１４５は、ＳＲについての値と複数の論理チャネルについての優先度レベルとの間の対応を示すマッピングをＵＥに送信し得る。
【０１５０】
[0158]図１２は、本開示の態様にしたがった、ワイヤレスシステムのためのスケジューリング要求をサポートするデバイス１２０５を含むシステム１２００の図を示している。デバイス１２０５は、例えば、図１を参照して上述されたような基地局１０５のコンポーネントの例であり得るか、またはそれらを含み得る。デバイス１２０５は、基地局通信マネージャ１２１５、プロセッサ１２２０、メモリ１２２５、ソフトウェア１２３０、トランシーバ１２３５、アンテナ１２４０、ネットワーク通信マネージャ１２４５、および局間通信マネージャ１２５０を含む、通信を送信および受信するためのコンポーネントを含む双方向音声およびデータ通信のためのコンポーネントを含み得る。これらのコンポーネントは、１つまたは複数のバス（例えば、バス１２１０）を介して電子通信状態にあり得る。デバイス１２０５は、１つまたは複数のＵＥ１１５とワイヤレスに通信し得る。
【０１５１】
[0159]プロセッサ１２２０は、インテリジェントハードウェアデバイス（例えば、汎用プロセッサ、ＤＳＰ、ＣＰＵ、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはそれらの任意の組み合わせ）を含み得る。いくつかのケースでは、プロセッサ１２２０は、メモリコントローラを使用してメモリアレイを動作させるように構成され得る。他のケースでは、メモリコントローラは、プロセッサ１２２０へと統合され得る。プロセッサ１２２０は、様々な機能（例えば、ワイヤレスシステムのためのスケジューリング要求をサポートする機能またはタスク）を実行するために、メモリ中に記憶されたコンピュータ可読命令を実行するように構成され得る。
【０１５２】
[0160]メモリ１２２５は、ＲＡＭおよびＲＯＭを含み得る。メモリ１２２５は、実行されると、プロセッサに、ここに説明された様々な機能を実行することを行わせる命令を含むコンピュータ可読、コンピュータ実行可能ソフトウェア１２３０を記憶し得る。いくつかのケースでは、メモリ１２２５は、中でもとりわけ、周辺コンポーネントまたはデバイスとの対話のような基本ハードウェアまたはソフトウェア動作を制御し得るＢＩＯＳを包含し得る。
【０１５３】
[0161]ソフトウェア１２３０は、ワイヤレスシステムのためのスケジューリング要求をサポートするためのコードを含む、本開示の態様をインプリメントするためのコードを含み得る。ソフトウェア１２３０は、システムメモリまたは他のメモリのような非一時的コンピュータ可読媒体中に記憶され得る。いくつかのケースでは、ソフトウェア１２３０は、プロセッサによって直接的に実行可能でないことがあり得るが、（例えば、コンパイルおよび実行されると）コンピュータに、ここに説明された機能を実行することを行わせ得る。
【０１５４】
[0162]トランシーバ１２３５は、上述されたように、１つまたは複数のアンテナ、ワイヤードまたはワイヤレスリンクを介して双方向に通信し得る。例えば、トランシーバ１２３５は、ワイヤレストランシーバを表し得、および別のワイヤレストランシーバと双方向に通信し得る。トランシーバ１２３５はまた、パケットを変調し、および送信のためにアンテナに変調されたパケットを提供することと、アンテナから受信されたパケットを復調することとを行うためのモデムを含み得る。
【０１５５】
[0163]いくつかのケースでは、ワイヤレスデバイスは、単一のアンテナ１２４０を含み得る。しかしながら、いくつかのケースでは、デバイスは、１つよりも多くのアンテナ１２４０を有し得、それらは、複数のワイヤレス送信を同時に送信または受信することが可能であり得る。
【０１５６】
[0164]ネットワーク通信マネージャ１２４５は、（例えば、１つまたは複数のワイヤードバックホールリンクを介して）コアネットワークとの通信を管理し得る。例えば、ネットワーク通信マネージャ１２４５は、１つまたは複数のＵＥ１１５のようなクライアントデバイスのためのデータ通信の転送を管理し得る。
【０１５７】
[0165]局間通信マネージャ１２５０は、他の基地局１０５との通信を管理し得、および他の基地局１０５と連携してＵＥ１１５との通信を制御するためのコントローラまたはスケジューラを含み得る。例えば、局間通信マネージャ１２５０は、ビームフォーミングまたはジョイント送信のような様々な干渉緩和技法のために、ＵＥ１１５への送信のためのスケジューリングを調整し得る。いくつかの例では、局間通信マネージャ１２５０は、基地局１０５間での通信を提供するために、ＬＴＥ／ＬＴＥ−Ａワイヤレス通信ネットワーク技術内のＸ２インターフェースを提供し得る。
【０１５８】
[0166]図１３は、本開示の態様にしたがった、ワイヤレスシステムのためのスケジューリング要求のための方法１３００を例示するフローチャートを示している。方法１３００の動作は、ここに説明されたようなＵＥ１１５またはそのコンポーネントによってインプリメントされ得る。例えば、方法１３００の動作は、図５〜図８を参照して説明されたようなＵＥ通信マネージャによって実行され得る。いくつかの例では、ＵＥ１１５は、以下に説明される機能を実行するために、デバイスの機能的な要素を制御するためのコードのセットを実行し得る。加えてまたは代替として、ＵＥ１１５は、特殊用途ハードウェアを使用して、以下に説明される機能の態様を実行し得る。
【０１５９】
[0167]ブロック１３０５において、ＵＥ１１５は、ＵＥが基地局に送信されるべきデータをバッファ中に有していることをＵＥにおいて識別し得る。ブロック１３０５の動作は、ここに説明された方法にしたがって実行され得る。ある特定の例では、ブロック１３０５の動作の態様は、図５〜８を参照して説明されたようなデータコンポーネントによって実行され得る。
【０１６０】
[0168]ブロック１３１０において、ＵＥ１１５は、データのための論理チャネル、またはデータに関連付けられたデータタイプ、あるいはそれらの組み合わせに少なくとも部分的に基づいて、基地局に送信されるべきバッファ中のデータについての優先度レベルを決定し得る。ブロック１３１０の動作は、ここに説明された方法にしたがって実行され得る。ある特定の例では、ブロック１３１０の動作の態様は、図５〜８を参照して説明されたような優先度コンポーネントによって実行され得る。
【０１６１】
[0169]ブロック１３１５において、ＵＥ１１５は、データについての優先度レベルを示すＳＲを基地局に送信し得る。ブロック１３１５の動作は、ここに説明された方法にしたがって実行され得る。ある特定の例では、ブロック１３１５の動作の態様は、図５〜８を参照して説明されたようなＳＲコンポーネントによって実行され得る。
【０１６２】
[0170]図１４は、本開示の態様にしたがった、ワイヤレスシステムのためのスケジューリング要求のための方法１４００を例示するフローチャートを示している。方法１４００の動作は、ここに説明されたような基地局１０５またはそのコンポーネントによってインプリメントされ得る。例えば、方法１４００の動作は、図９〜図１２を参照して説明されたような基地局通信マネージャによって実行され得る。いくつかの例では、基地局１０５は、以下に説明される機能を実行するために、デバイスの機能的な要素を制御するためのコードのセットを実行し得る。加えてまたは代替として、基地局１０５は、専用ハードウェアを使用して、以下に説明される機能の態様を実行し得る。
【０１６３】
[0171]ブロック１４０５において、基地局１０５は、ＵＥが基地局に送信するためのデータをバッファ中に有していることと、データについての優先度レベルとを示すＳＲを基地局によって受信し得る。ブロック１４０５の動作は、ここに説明された方法にしたがって実行され得る。ある特定の例では、ブロック１４０５の動作の態様は、図９〜１２を参照して説明されたようなＳＲ受信機によって実行され得る。
【０１６４】
[0172]ブロック１４１０において、基地局１０５は、ＳＲに少なくとも部分的に基づいて、データの優先度レベルを決定し得る。ブロック１４１０の動作は、ここに説明された方法にしたがって実行され得る。ある特定の例では、ブロック１４１０の動作の態様は、図９〜１２を参照して説明されたような優先度レベルコンポーネントによって実行され得る。
【０１６５】
[0173]ブロック１４１５において、基地局１０５は、優先度レベルに少なくとも部分的に基づいて、データの送信のためのリソースを識別し得る。ブロック１４１５の動作は、ここに説明された方法にしたがって実行され得る。ある特定の例では、ブロック１４１５の動作の態様は、図９〜１２を参照して説明されたようなリソースコンポーネントによって実行され得る。
【０１６６】
[0174]ブロック１４２０において、基地局１０５は、識別されたリソースを示すアップリンク許可をＵＥに送信し得る。ブロック１４２０の動作は、ここに説明された方法にしたがって実行され得る。ある特定の例では、ブロック１４２０の動作の態様は、図９〜１２を参照して説明されたような許可コンポーネントによって実行され得る。
【０１６７】
[0175]上述された方法は、可能なインプリメンテーションを説明しており、動作およびステップは、再配列またはそうでない場合は修正され得、および他のインプリメンテーションが可能であることに留意されたい。さらに、それら方法のうちの２つ以上からの態様が組み合わされ得る。
【０１６８】
[0176]ここに説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムのような、様々なワイヤレス通信システムのために使用され得る。「システム」および「ネットワーク」という用語は、交換可能に使用されることが多い。符号分割多元接続（ＣＤＭＡ）システムは、ＣＤＭＡ２０００、ユニバーサル地上無線アクセス（ＵＴＲＡ）、等のような無線技術をインプリメントし得る。ＣＤＭＡ２０００は、ＩＳ−２０００、ＩＳ−９５、およびＩＳ−８５６規格をカバーする。ＩＳ−２０００リリースは一般に、ＣＤＭＡ２０００ １Ｘ、１Ｘ、等と呼ばれ得る。ＩＳ−８５６（ＴＩＡ−８５６）は一般に、ＣＤＭＡ２０００ １ｘＥＶ−ＤＯ、高レートパケットデータ（ＨＲＰＤ）、等と呼ばれる。ＵＴＲＡは、ワイドバンドＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術をインプリメントし得る。
【０１６９】
[0177]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ、等のような無線技術をインプリメントし得る。ＵＴＲＡおよびＥ−ＵＴＲＡは、ユニバーサルモバイル電気通信システム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の組織からの文書中に説明されている。ＣＤＭＡ２０００およびＵＭＢは、「第３世代パートナーシッププロジェクト２」（３ＧＰＰ２）という名称の組織からの文書中に説明されている。ここに説明された技法は、上述されたシステムおよび無線技術ならびに他のシステムおよび無線技術のために使用され得る。ＬＴＥまたはＮＲシステムの態様が、例を目的として説明され得、およびＬＴＥまたはＮＲの専門用語が、説明の大部分中で使用され得る一方で、ここに説明された技法は、ＬＴＥまたはＮＲアプリケーションを超えて適用可能である。
【０１７０】
[0178]ここに説明されたそのようなネットワークを含むＬＴＥ／ＬＴＥ−Ａネットワークでは、発展型ノードＢ（ｅＮＢ）という用語は概して、基地局を説明するために使用され得る。ここに説明された１つまたは複数のワイヤレス通信システムは、異なるタイプのｅＮＢが様々な地理的領域に対してカバレッジを提供する異種ＬＴＥ／ＬＴＥ−ＡまたはＮＲネットワークを含み得る。例えば、各ｅＮＢ、次世代ノードＢ（ｇＮＢ）、または基地局は、マクロセル、スモールセル、または他のタイプのセルに対して通信カバレッジを提供し得る。「セル」という用語は、コンテキストに依存して、基地局、基地局に関連付けられたキャリアまたはコンポーネントキャリア、あるいはキャリアまたは基地局のカバレッジエリア（例えば、セクタ、等）を説明するために使用され得る。
【０１７１】
[0179]基地局は、ベーストランシーバ局、無線基地局、アクセスポイント、無線トランシーバ、ノードＢ、ｅノードＢ（ｅＮＢ）、ｇＮＢ、ホームノードＢ、ホームｅノードＢ、または何らかの他の適した専門用語で当業者によって呼ばれ得るか、あるいはそれらを含み得る。基地局に対する地理的カバレッジエリアは、カバレッジエリアの一部分のみを構成するセクタへと分割され得る。ここに説明された１つまたは複数のワイヤレス通信システムは、異なるタイプの基地局（例えば、マクロまたはスモールセル基地局）を含み得る。ここに説明されたＵＥは、マクロｅＮＢ、スモールセルｅＮＢ、ｇＮＢ、中継基地局、および同様のものを含む様々なタイプの基地局およびネットワーク機器と通信することが可能であり得る。異なる技術のために重複する地理的カバレッジエリアが存在し得る。
【０１７２】
[0180]マクロセルは概して、比較的大きい地理的エリア（例えば、半径数キロメートル）をカバーし、およびネットワークプロバイダにサービス加入しているＵＥによる無制限のアクセスを可能にし得る。スモールセルは、マクロセルと同じまたは異なる（例えば、ラインセンス、アンライセンス、等の）周波数帯域中で動作し得る、マクロセルと比較するとより低電力の基地局である。スモールセルは、様々な例にしたがって、ピコセル、フェムトセル、およびマイクロセルを含み得る。ピコセルは、例えば、小さい地理的エリアをカバーし得、およびネットワークプロバイダにサービス加入しているＵＥによる無制限のアクセスを可能にし得る。フェムトセルもまた、小さい地理的エリア（例えば、家）をカバーし得、およびフェムトセルとのアソシエーションを有するＵＥ（例えば、クローズド加入者グループ（ＣＳＧ：a closed subscriber group）中のＵＥ、家の中にいるユーザのためのＵＥ、および同様のもの）による制限されたアクセスを提供し得る。マクロセルに対するｅＮＢは、マクロｅＮＢと呼ばれ得る。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（例えば、２つ、３つ、４つ、および同様の数）のセル（例えば、コンポーネントキャリア）をサポートし得る。
【０１７３】
[0181]ここに説明された１つまたは複数のワイヤレス通信システムは、同期または非同期動作をサポートし得る。同期動作の場合、基地局は、同様のフレームタイミングを有し得、および異なる基地局からの送信は、ほぼ時間的に揃えられ得る（approximately aligned in time）。非同期動作の場合、基地局は、異なるフレームタイミングを有し得、および異なる基地局からの送信は、時間的に揃えられないことがあり得る。ここに説明された技法は、同期または非同期動作のいずれかのために使用され得る。
【０１７４】
[0182]ここに説明されたダウンリンク送信はまた、順方向リンク送信と呼ばれ得、その一方でアップリンク送信はまた、逆方向リンク送信と呼ばれ得る。例えば、図１および２のワイヤレス通信システム１００および２００を含む、ここに説明された各通信リンクは、１つまたは複数のキャリアを含み得、ここで、各キャリアは、複数のサブキャリア（例えば、異なる周波数の波形信号）から構成される信号であり得る。
【０１７５】
[0183]添付された図面に関連してここに記載された説明は、実例的な構成を説明しており、およびインプリメントされ得るまたは特許請求の範囲内にある全ての例を表してはいない。ここに使用される「例証的（exemplary）」という用語は、「例、事例、または例示としての役割を果たすこと」を意味し、および「好ましい」または「他の例より有利である」ということを意味しない。詳細な説明は、説明された技法の理解を提供することを目的として特定の詳細を含む。これらの技法は、しかしながら、これらの特定の詳細なしに実施され得る。いくつかの事例では、良く知られている構造およびデバイスは、説明された例の概念を曖昧にすることを避けるために、ブロック図形式で示されている。
【０１７６】
[0184]添付された図面では、同様のコンポーネントまたは特徴は、同じ参照ラベルを有し得る。さらに、同じタイプの様々なコンポーネントは、参照ラベルに、ダッシュと、同様のコンポーネント間を区別する第２のラベルとを後続させることによって区別され得る。本明細書中で第１の参照ラベルだけが使用される場合、その説明は、第２の参照ラベルに関係なく同じ第１の参照ラベルを有する同様のコンポーネントのうちのどの１つにも適用可能である。
【０１７７】
[0185]ここに説明された情報および信号は、多様な異なる技術および技法のうちの任意のものを使用して表わされ得る。例えば、上記の説明全体を通じて参照され得るデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１７８】
[0186]ここでの開示に関連して説明された様々な例示的なブロックおよびモジュールは、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいはここに説明された機能を実行するように設計されたそれらの任意の組み合わせを用いてインプリメントまたは実行され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、コンピューティングデバイスの組み合わせ（例えば、ＤＳＰとマイクロプロセッサとの組み合わせ、複数のマイクロプロセッサ、ＤＳＰコアと連携した１つまたは複数のマイクロプロセッサ、あるいは任意の他のそのような構成）としてインプリメントされ得る。
【０１７９】
[0187]ここに説明された機能は、ハードウェア、プロセッサによって実行されるソフトウェア、ファームウェア、またはそれらの任意の組み合わせにおいてインプリメントされ得る。プロセッサによって実行されるソフトウェアにおいてインプリメントされる場合、それら機能は、１つまたは複数の命令またはコードとして、コンピュータ可読媒体上に記憶され得るか、またはコンピュータ可読媒体を通して送信され得る。他の例およびインプリメンテーションは、本開示および添付された特許請求の範囲内にある。例えば、ソフトウェアの性質に起因して、上述された機能は、プロセッサによって実行されるソフトウェア、ハードウェア、ファームウェア、ハード配線、またはこれらのうちの任意のものの組み合わせを使用してインプリメントされることができる。機能をインプリメントする特徴はまた、機能の一部分が異なる物理的ロケーションにおいてインプリメントされるように分散されることを含め、様々な位置において物理的にロケートされ得る。また、特許請求の範囲を含め、ここに使用される場合、項目のリスト（例えば、「〜のうちの少なくとも１つ（at least one of）」または「〜のうちの１つまたは複数（one or more of）」のようなフレーズで始まる項目のリスト）中で使用される「または／あるいは／もしくは（or）」は、例えば、Ａ、Ｂ、またはＣのうちの少なくとも１つのリストが、Ａ、Ｂ、Ｃ、ＡとＢ、ＡとＣ、ＢとＣ、またはＡとＢとＣ（すなわち、Ａ、Ｂ、およびＣ）を意味するような、包含的なリストを示す。また、ここに使用される場合、「〜に基づいて」というフレーズは、条件の閉集合への参照として解釈されるべきではない。例えば、「条件Ａに基づいて」と説明された例証的なステップは、本開示の範囲から逸脱することなしに、条件Ａと条件Ｂとの両方に基づき得る。言い換えれば、ここに使用される場合、「〜に基づいて」というフレーズは、「〜に少なくとも部分的に基づいて」というフレーズと同じように解釈されるべきである。
【０１８０】
[0188]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望されるプログラムコード手段を記憶または搬送するために使用されることができ、且つ汎用または特殊用途コンピュータ、もしくは汎用または特殊用途プロセッサによってアクセスされることができる任意の他の非一時的媒体を備え得る。また、任意の接続は、厳密にはコンピュータ可読媒体と称される。例えば、ソフトウェアが、同軸ケーブル、光ファイバケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波のようなワイヤレス技術は、媒体の定義中に含まれる。ディスク（disk）およびディスク（disc）は、ここに使用される場合、ＣＤ（disc）、レーザーディスク（登録商標）（disc）、光ディスク（disc）、デジタル多用途ディスク（ＤＶＤ）（disc）、フロッピー（登録商標）ディスク（disk）およびＢｌｕ−ｒａｙ（登録商標）ディスク（disc）を含み、ここで、ディスク（disk）は通常、磁気的にデータを再生し、その一方でディスク（disc）は、レーザーを用いて光学的にデータを再生する。上記の組み合わせもまた、コンピュータ可読媒体の範囲内に含まれる。
【０１８１】
[0189]ここでの説明は、当業者が本開示を製造または使用することを可能にするために提供される。本開示に対する様々な修正は、当業者にとって容易に明らかとなり、ここに定義された包括的な原理は、本開示の範囲から逸脱することなしに他の変形に適用され得る。このことから、本開示は、ここに説明された例および設計に限定されず、ここに開示された原理および新規の特徴と一致する最も広い範囲が付与されるべきである。
【図１】
2020519118.tif 000003
【図２】
2020519118.tif 000004
【図３Ａ】
2020519118.tif 000005
【図３Ｂ】
2020519118.tif 000006
【図４】
2020519118.tif 000007
【図５】
2020519118.tif 000008
【図６】
2020519118.tif 000009
【図７】
2020519118.tif 000010
【図８】
2020519118.tif 000011
【図９】
2020519118.tif 000012
【図１０】
2020519118.tif 000013
【図１１】
2020519118.tif 000014
【図１２】
2020519118.tif 000015
【図１３】
2020519118.tif 000016
【図１４】
2020519118.tif 000017
【国際調査報告】
2020519118.tif 000018
2020519118.tif 000019
2020519118.tif 000020
2020519118.tif 000021